(57)【要約】  ＲＩＭ強度を向上させた光ピックアップ等を提供する。  遠視野像が楕円の発散ビームを出射するレーザ光源１と、レーザ光源１から出射された発散ビームを、その楕円形状の少なくとも長軸方向を縮ませた所定形状の発散ビームに整形する、少なくとも１面のシリンドリカル面を有するビーム整形素子２と、ビーム整形素子から出射された所定形状の発散ビームを光ディスク７の記録面に対して垂直に集光させるビームスプリッタ３、立上げミラー５等を含む集光部と、光ディスク７で反射したビームを検出する光検出部１０とを備え、所定形状の発散ビームの長軸方向が縮まった向きが光情報記録媒体のラジアル方向と一致するように、発散ビームの光軸を回転させる、光ピックアップ。
2007099963.tif 000002
【特許請求の範囲】
【請求項１】
遠視野像が楕円の発散ビームを出射する光源と、
前記光源から出射された前記発散ビームを、その楕円形状の少なくとも長軸方向を縮ませた所定形状の発散ビームに整形する、少なくとも１面のシリンドリカル面を有するビーム整形素子と、
前記ビーム整形素子から出射された前記所定形状の発散ビームを光情報記録媒体の記録面に対して垂直に集光させる集光部と、
前記光情報記録媒体で反射したビームを検出する光検出部とを備え、
前記集光部は、前記所定形状の発散ビームの長軸方向が縮まった向きが前記光情報記録媒体のラジアル方向と一致するように、前記発散ビームの光軸を回転させる、光ピックアップ。
【請求項２】
前記集光部の前記整形における前記楕円形状の収縮率は、前記光源の発光角比より小さい、請求の範囲第１項に記載の光ピックアップ。
【請求項３】
前記ビーム整形素子の前記シリンドリカル面の母線は、前記光情報記録媒体の前記記録面に対して垂直である、請求の範囲第１項に記載の光ピックアップ。
【請求項４】
前記ビーム整形素子によって整形された後の前記所定形状の発散ビームは、整形される前の前記楕円形状の発散ビームの長軸方向と同じ方向の幅が、整形される前の前記楕円形状の発散ビームの短軸方向と同じ方向の幅よりも長い、請求の範囲第１項に記載の光ピックアップ。
【請求項５】
光源から出射された楕円の発散ビームを所定形状の発散ビームに整形する、少なくとも１面のシリンドリカル面を有するビーム整形素子と、
前記ビーム整形素子の周囲の一部を覆うように設けられ、前記ビーム整形素子の側壁の周囲の一部に固定されている第１の外殻部と、
前記第１の外殻部の周囲の一部及び前記ビーム整形素子の周囲の一部を覆うように設けられ、前記第１の外殻部の周囲の一部及び前記ビーム整形素子の側壁の周囲の他の一部と摺動可能に接触する接触部を有する第２の外殻部とを備え、
前記第２の外殻部は前記第１の外殻部の表面を外部へ露出させる空隙を有し、
前記第１の外殻部は、前記第１の外殻部の前記空隙から突出した、外部から操作可能なつまみ部を有し、
前記第２の外殻部の前記接触部は、前記ビーム整形素子を、その光軸方向に直交する方向に移動しないよう規制している、光学素子。
【請求項６】
前記第２の外殻部の前記接触部は、前記第１の外殻部と面接触する第１の側壁と、前記第１の外殻部に弾性力を加える第２の側壁と、前記ビーム整形素子と点接触又は線接触する第３の側壁とを有し、
前記第１の側壁、前記２の側壁及び前記第３の側壁は前記ビーム整形素子の光軸と平行な方向に形成されており、
前記空隙は、前記第２の側壁上に設けられている、請求の範囲第５項に記載の光学素子。
【請求項７】
前記第１の外殻部及び前記第２の外殻部は、少なくとも、
前記第２の外殻部の前記接触部の前記第１の側壁及び前記第３の側壁と前記第１の外殻部とが接触する部分が、塗装されている、請求の範囲第５項に記載の光学素子。
【請求項８】
前記第２の外殻部は、前記ビーム整形素子及び前記第１の外殻部と対向しない側の面に、塗装されていない部分を有する、請求の範囲第７項に記載の光学素子。
【請求項９】
遠視野像が楕円の発散ビームを出射する光源と、
請求の範囲第５項に記載の光学素子と、
前記光学素子の前記ビーム整形素子で整形された前記所定形状の発散ビームを、光情報記録媒体の記録面に対して垂直に集光させる集光部と、
前記光情報記録媒体で反射したビームを検出する光検出部と、
前記光学素子の前記第２の外殻部が固定される載置板と、
前記集光部に対して固定された位置に設けられた、前記光源が取り付けられた光軸調整ホルダと、
前記光軸調整ホルダに回動自在に連結され、前記載置板が固定されている、光源あおりホルダとを備え、
前記光源あおりホルダの回動により、前記光源から出射される前記楕円の発散ビームの光軸の前記集光部に対する位置が調整される、光ピックアップ。
【請求項１０】
前記光学素子は、前記載置板に接着剤で固定されている、請求の範囲第９項に記載の光ピックアップ。
【請求項１１】
前記光源あおりホルダは、前記ビーム整形素子の前記シリンドリカル面の母線と、前記光情報記録媒体の前記記録面との成す角度が、前記光源から出射される前記発散ビームの前記楕円形状の短軸方向への発光角傾きの角度と直角との和に等しくなる位置に調整されている、請求の範囲第９項に記載の光ピックアップ。
【請求項１２】
前記光源あおりホルダと前記載置板は一体成形されたものである、請求の範囲第９項に記載の光ピックアップ。
【請求項１３】
前記ビーム整形素子は、前記光源あおりホルダに接着剤で固定されている、請求の範囲第９項に記載の光ピックアップ。
【請求項１４】
前記集光部が配置される光学基台を備え、
前記光学基台には、前記光源あおりホルダをあおり調整した際に、前記載置板及び前記載置板上に取り付けられている部材を避けるための凹部又は貫通孔が形成されている、請求の範囲第９項に記載の光ピックアップ。
【請求項１５】
請求の範囲第１項又は第９項に記載の光ピックアップを有する光ヘッド装置と、
光情報記録媒体を回転するモータと、
前記光ヘッド装置から得られる信号に基づいて、前記モータ、光学レンズ及び前記光源を、制御及び駆動する電気回路とを備えた、光情報装置。
【請求項１６】
請求の範囲第１５項に記載の光情報装置と、
情報を入力するための入力装置又は入力端子と、
前記入力装置又は入力端子から入力された情報、及び／又は前記光情報装置から再生された情報に基づいて演算を行う演算装置と、
前記入力装置又は入力端子から入力された情報、及び／又は前記光情報装置から再生された情報、及び／又は前記演算装置によって演算された結果を、表示又は出力するための出力装置又は出力端子を備えた、コンピュータ。
【請求項１７】
請求の範囲第１５項に記載の光情報装置と、
前記光情報装置から得られる情報信号を画像に変換する、情報から画像へのデコーダーとを備えた、光情報媒体プレーヤ。
【請求項１８】
請求の範囲第１５項に記載の光情報装置と、
前記光情報装置から得られる情報信号を画像に変換する、情報から画像へのデコーダーとを備えた、カーナビゲーションシステム。
【請求項１９】
請求の範囲第１５項に記載の光情報装置と、
画像情報を前記光情報装置によって記録する情報に変換する、画像から情報へのエンコーダーとを備えた、光情報媒体レコーダ。
【請求項２０】
請求の範囲第１５項に記載の光情報装置と、
外部との情報のやりとりを行う入出力端子とを備えた、光ディスクサーバ。
【発明の詳細な説明】
【技術分野】
【０００１】
本発明は、光ピックアップから光情報記録媒体に光を照射して情報の記録及び／又は再生を行う、光ピックアップ、光学素子、光情報装置、コンピュータ、光情報媒体プレーヤ、カーナビゲーションシステム、光情報媒体レコーダ、及び光ディスクサーバに関するものである。
【背景技術】
【０００２】
ディジタルオーディオや画像、動画、コンピュータ等で作成された文書ファイルやデータファイルを記録、保存するための記録媒体は多種多様だが、その一つに光ディスクがある。中でもＤＶＤ（Digital Versatile Disk）は従来のＣＤ（Compact Disc）と比較して高密度かつ大容量であり、録画機の分野においても、現在主流であるＶＴＲ（Video Tape Recorder）に替わる媒体として普及してきている。さらに近年、青紫色半導体レーザを用い、記録密度をより一層高めた次世代の光ディスクの研究が各所で進められており、早期の登場と普及が待たれている。又、これらの光ディスクにおいて、データの記録・再生を行うためには光ピックアップ装置が必要である。【０００３】
光ディスクに情報の記録又は再生を行う光ピックアップは、一般的に、光源と、光源から出射されるビームを光ディスクに集光させる対物レンズと、光ディスクから反射したビームを検出する検出器とを備える。【０００４】
光源としての半導体レーザは、薄い活性層の端面からビームが放射するので、ビームの断面形状、すなわち光軸方向から見た形状は楕円となり、その短軸と長軸の比はほぼ１：３程度となっている。光ディスクに情報を記録する際には、光の利用効率の向上の観点から、楕円のビームを円形に整形することが望まれている。【０００５】
このようなビーム整形素子としては、アナモフィックプリズムやアナモフィックレンズが一般的であるが、アナモフィックプリズムは半導体レーザから出射した発散光をコリメートした後の平行光束中で使用しなければならず、光ピックアップ小型化の妨げとなる。そこで発散光束のビーム整形が行えるアナモフィックレンズを使用することで、光の利用効率を高くし、かつ小型の光ピックアップを実現できる。【０００６】
一方、実際に光ピックアップを構成する他の素子として、反射系の光学素子や対物レンズがあるが、これらの素子は一般的に初期特性として非点収差を持つ場合がある。アナモフィックレンズによるビーム整形素子はその特性上、発光点との設計値からの距離ずれにより非点収差を発生するが、光ピックアップにおいては、逆にこの性質を利用して、反射系の光学素子や対物レンズの持つ非点収差を補正することができる。このような構成とすることで、光ピックアップの対物レンズより出射されて光ディスク上に形成されるスポットの品質を向上させることができる。【０００７】
図２４は、ビーム整形素子の保持構造の一つの従来例の、光源部の構成を示す線図的説明図を示している（例えば、特許文献１参照）。図２４（ａ）はｘｚ断面図を、図２４（ｂ）はｙｚ断面図を、それぞれ示している。【０００８】
なお、本明細書において、光源の発光点から見て光軸に平行な方向を＋ｚ方向、発光点から見て、光軸に垂直で光記録媒体に平行な方向を±ｘ方向、発光点から見て光軸に垂直で光記録媒体にも垂直な方向を±ｙ方向と呼び、ｘ軸ｙ軸及びｚ軸は互いに直交するものである。【０００９】
この特許文献１に開示されている光源部は、楕円発散ビームを射出する半導体レーザＰと、半導体レーザＰから射出された楕円発散ビームを略円形発散ビームに変換するビーム整形素子Ｌと、それらを一体的に保持する保持部材Ｈとを備えている。【００１０】
ビーム整形素子Ｌは、第１面（Ｓ１）と第２面（Ｓ２）が共にｘ方向にのみ曲率を有するシリンダー面で構成されており、その両シリンダー面（Ｓ１、Ｓ２）は、半導体レーザＰからの取り込み角度の小さい方の断面（すなわちｘｚ断面）にのみ、半導体レーザＰに対して凹面となる曲率を有している。【００１１】
この従来例の光源部は、図２４（ａ）（ｂ）に示すｓとｔの距離を等しくし、ビーム整形素子Ｌの線膨張係数と保持部材Ｈの線膨張係数を等しくすることで、環境温度変化に伴う波面収差を抑えながら、略円形の形状を保ちながら発散する光ビームを出射できる光源装置を提供できるとしている。【００１２】
又、ビーム整形素子の安定的な構成として、特許文献２に示す例もある。これは、入射面及び出射面の双方がシリンドリカル面である形状を有し、入射した断面楕円形状のビームを、その長軸方向の大きさを保ったまま、短軸方向を拡大することにより略円形に整形するものである。
【特許文献１】特開２００３−１７８４８０号公報
【特許文献２】特開２００４−２４７０３２号公報
【発明の開示】
【発明が解決しようとする課題】
【００１３】
レーザを用いる高密度光ディスクの実用においては、ＲＩＭ強度が重要視されている。ＲＩＭ強度とは、光ピックアップの対物レンズ近傍のアパーチャを通過した光束の光最高強度に対する、瞳端の強度比であり、これを高めることは、高密度光ディスクの情報の記録、再生の高品質化に欠かせないものとなってきている。【００１４】
しかしながら、上記各特許文献に記載の従来の光ピックアップにおいては、ＲＩＭ強度を調整し向上させるという観点から、ビーム整形素子によるビーム整形の方法、又はビーム整形素子の光ピックアップ内における配置について考慮がされていなかった。【００１５】
本発明は、上述した課題を解決するもので、ビーム整形素子によるＲＩＭ強度の調整、向上を目的とした光ピックアップ、光学素子、光情報装置、コンピュータ、光情報媒体プレーヤ、カーナビゲーションシステム、光情報媒体レコーダ、及び光ディスクサーバを提供することを目的とする。
【課題を解決するための手段】
【００１６】
上記の目的を達成するために、第１の本発明は、遠視野像が楕円の発散ビームを出射する光源と、
前記光源から出射された前記発散ビームを、その楕円形状の少なくとも長軸方向を縮ませた所定形状の発散ビームに整形する、少なくとも１面のシリンドリカル面を有するビーム整形素子と、
前記ビーム整形素子から出射された前記所定形状の発散ビームを光情報記録媒体の記録面に対して垂直に集光させる集光部と、
前記光情報記録媒体で反射したビームを検出する光検出部とを備え、
前記集光部は、前記所定形状の発散ビームの長軸方向が縮まった向きが前記光情報記録媒体のラジアル方向と一致するように、前記発散ビームの光軸を回転させる、光ピックアップである。【００１７】
また、第２の本発明は、前記集光部の前記整形における前記楕円形状の収縮率は、前記光源の発光角比より小さい、第１の本発明の光ピックアップである。【００１８】
また、第３の本発明は、前記ビーム整形素子の前記シリンドリカル面の母線は、前記光情報記録媒体の前記記録面に対して垂直である、第１の本発明の光ピックアップである。【００１９】
また、第４の本発明は、前記ビーム整形素子によって整形された後の前記所定形状の発散ビームは、整形される前の前記楕円形状の発散ビームの長軸方向と同じ方向の幅が、整形される前の前記楕円形状の発散ビームの短軸方向と同じ方向の幅よりも長い、第１の本発明の光ピックアップである。【００２０】
また、第５の本発明は、光源から出射された楕円の発散ビームを所定形状の発散ビームに整形する、少なくとも１面のシリンドリカル面を有するビーム整形素子と、
前記ビーム整形素子の周囲の一部を覆うように設けられ、前記ビーム整形素子の側壁の周囲の一部に固定されている第１の外殻部と、
前記第１の外殻部の周囲の一部及び前記ビーム整形素子の周囲の一部を覆うように設けられ、前記第１の外殻部の周囲の一部及び前記ビーム整形素子の側壁の周囲の他の一部と摺動可能に接触する接触部を有する第２の外殻部とを備え、
前記第２の外殻部は前記第１の外殻部の表面を外部へ露出させる空隙を有し、
前記第１の外殻部は、前記第１の外殻部の前記空隙から突出した、外部から操作可能なつまみ部を有し、
前記第２の外殻部の前記接触部は、前記ビーム整形素子を、その光軸方向に直交する方向に移動しないよう規制している、光学素子である。【００２１】
また、第６の本発明は、前記第２の外殻部の前記接触部は、前記第１の外殻部と面接触する第１の側壁と、前記第１の外殻部に弾性力を加える第２の側壁と、前記ビーム整形素子と点接触又は線接触する第３の側壁とを有し、
前記第１の側壁、前記２の側壁及び前記第３の側壁は前記ビーム整形素子の光軸と平行な方向に形成されており、
前記空隙は、前記第２の側壁上に設けられている、第５の本発明の光学素子である。【００２２】
また、第７の本発明は、前記第１の外殻部及び前記第２の外殻部は、少なくとも、
前記第２の外殻部の前記接触部の前記第１の側壁及び前記第３の側壁と前記第１の外殻部とが接触する部分が、塗装されている、第５の本発明の光学素子である。【００２３】
また、第８の本発明は、前記第２の外殻部は、前記ビーム整形素子及び前記第１の外殻部と対向しない側の面に、塗装されていない部分を有する、第７の本発明の光学素子である。【００２４】
また、第９の本発明は、遠視野像が楕円の発散ビームを出射する光源と、
第５の本発明の光学素子と、
前記光学素子の前記ビーム整形素子で整形された前記所定形状の発散ビームを、光情報記録媒体の記録面に対して垂直に集光させる集光部と、
前記光情報記録媒体で反射したビームを検出する光検出部と、
前記光学素子の前記第２の外殻部が固定される載置板と、
前記集光部に対して固定された位置に設けられた、前記光源が取り付けられた光軸調整ホルダと、
前記光軸調整ホルダに回動自在に連結され、前記載置板が固定されている、光源あおりホルダとを備え、
前記光源あおりホルダの回動により、前記光源から出射される前記楕円の発散ビームの光軸の前記集光部に対する位置が調整される、光ピックアップである。【００２５】
また、第１０の本発明は、前記光学素子は、前記載置板に接着剤で固定されている、第９の本発明の光ピックアップである。【００２６】
また、第１１の本発明は、前記光源あおりホルダは、前記ビーム整形素子の前記シリンドリカル面の母線と、前記光情報記録媒体の前記記録面との成す角度が、前記光源から出射される前記発散ビームの前記楕円形状の短軸方向への発光角傾きの角度と直角との和に等しくなる位置に調整されている、第９の本発明の光ピックアップである。【００２７】
また、第１２の本発明は、前記光源あおりホルダと前記載置板は一体成形されたものである、第９の本発明の光ピックアップである。【００２８】
また、第１３の本発明は、前記ビーム整形素子は、前記光源あおりホルダに接着剤で固定されている、第９の本発明の光ピックアップである。【００２９】
また、第１４の本発明は、前記集光部が配置される光学基台を備え、
前記光学基台には、前記光源あおりホルダをあおり調整した際に、前記載置板及び前記載置板上に取り付けられている部材を避けるための凹部又は貫通孔が形成されている、第９の本発明の光ピックアップである。【００３０】
また、第１５の本発明は、第１又は第９の本発明の光ピックアップを有する光ヘッド装置と、
光情報記録媒体を回転するモータと、
前記光ヘッド装置から得られる信号に基づいて、前記モータ、光学レンズ及び前記光源を、制御及び駆動する電気回路とを備えた、光情報装置である。【００３１】
また、第１６の本発明は、第１５の本発明の光情報装置と、
情報を入力するための入力装置又は入力端子と、
前記入力装置又は入力端子から入力された情報、及び／又は前記光情報装置から再生された情報に基づいて演算を行う演算装置と、
前記入力装置又は入力端子から入力された情報、及び／又は前記光情報装置から再生された情報、及び／又は前記演算装置によって演算された結果を、表示又は出力するための出力装置又は出力端子を備えた、コンピュータである。【００３２】
また、第１７の本発明は、第１５の本発明の光情報装置と、
前記光情報装置から得られる情報信号を画像に変換する、情報から画像へのデコーダーとを備えた、光情報媒体プレーヤである。【００３３】
また、第１８の本発明は、第１５の本発明の光情報装置と、
前記光情報装置から得られる情報信号を画像に変換する、情報から画像へのデコーダーとを備えた、カーナビゲーションシステムである。【００３４】
また、第１９の本発明は、第１５の本発明の光情報装置と、
画像情報を前記光情報装置によって記録する情報に変換する、画像から情報へのエンコーダーとを備えた、光情報媒体レコーダである。【００３５】
また、第２０の本発明は、第１５の本発明の光情報装置と、
外部との情報のやりとりを行う入出力端子とを備えた、光ディスクサーバである。
【発明の効果】
【００３６】
本発明により、ビーム整形素子によるＲＩＭ強度の調整、向上が可能な光ピックアップ、光学素子、光情報装置、コンピュータ、光情報媒体プレーヤ、カーナビゲーションシステム、光情報媒体レコーダ、及び光ディスクサーバを提供できる。
【図面の簡単な説明】
【００３７】
【図１（ａ）】本発明の実施の形態１における光ピックアップの構成を示す線図的説明図
【図１（ｂ）】本発明の実施の形態１における光ピックアップの対物レンズ近傍の構成を示す説明図
【図１（ｃ）】本発明の実施の形態１における光ピックアップのビーム整形素子の拡大構成図
【図１（ｄ）】本発明の実施の形態１における光ピックアップのビーム整形素子の作用を説明するための図
【図２】（ａ）本発明の実施の形態１における光ピックアップの)他の構成例を示す線図的説明図、（ｂ）本発明の実施の形態１における光ピックアップのビーム整形素子の他の構成例の拡大構成図
【図３】複数の波長光源を有する光ピックアップに本発明の実施の形態１を用いた構成を示す線図的説明図
【図４】（ａ）本発明の実施の形態２における光ピックアップのビーム整形素子固定部の構成を示す線図的説明図、（ｂ）本発明の実施の形態２における光ピックアップのビーム整形素子のｘｚ断面図及びｙｚ断面図
【図５】（ａ）従来の光ピックアップにおける、温度変化によるｙ軸方向ずれを説明する図、（ｂ）本発明の実施の形態２の光ピックアップにおける、温度変化によるｙ軸方向ずれを説明する図
【図６】本発明の実施の形態３における光ピックアップの光源部近傍の構成を示す線図的説明図
【図７】（ａ）本発明の実施の形態３における光ピックアップの光源素子とビーム整形素子の傾きの関係を示す、ｘｚ平面の正面図、（ｂ）本発明の実施の形態３における光ピックアップの光源素子とビーム整形素子の傾きの関係を示す、ｙｚ平面の断面図
【図８】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図９】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１０】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１１】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１２】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１３】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１４】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１５】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１６】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１７】（ａ）本発明の実施の形態４における光ピックアップの光源部近傍の構成を示す斜視図、（ｂ）本発明の実施の形態４における光ピックアップの光源部近傍の構成を示すｘｙ平面の正面図
【図１８】本発明の実施の形態５の光ディスクドライブの全体構成図
【図１９】本発明の実施の形態６のコンピュータの構成を示す概略斜視図
【図２０】本発明の実施の形態７の光ディスクレコーダーの構成を示す概略斜視図
【図２１】本発明の実施の形態８の光ディスクプレーヤーの構成を示す概略斜視図
【図２２】本発明の実施の形態９のサーバーの構成を示す概略斜視図
【図２３】本発明の実施の形態１０のカーナビゲーションシステムの構成を示す概略斜視図
【図２４】（ａ）従来の光ピックアップの光源部の構成例を示すｘｚ断面図、（ｂ）従来の光ピックアップの光源部の構成例を示すｙｚ断面図
【符号の説明】
【００３８】
１  レーザ光源
２、２′、２″  ビーム整形素子
３  ビームスプリッタ
４  コリメートレンズ
５  立上げミラー
６  対物レンズ
６ａ  アパーチャ
７  光ディスク
８  １／４波長板
９  レンズホルダ
１０  光検出器
１１  光源あおりホルダ
１２  光軸調整ホルダ
１３  載置板
２１  ビーム整形素子ホルダ
２２  ビーム整形素子保持ばね
２３  調整ノブ
２５  延長部材
２ｉ、２ｉ′  ビーム整形素子の光線入射面
２ｏ、２ｏ′  ビーム整形素子の光線出射面
２ｉｍ、２ｉｍ′  ビーム整形素子の入射面側母線
２ｏｍ、２ｏｍ′  ビーム整形素子の出射面側母線
２ｚ  ビーム整形素子の光学的中心線
２ｉｃ、２ｉｃ′  ビーム整形素子の入射シリンドリカル面のベース半径中心点
２ｏｃ、２ｏｃ′  ビーム整形素子の出射シリンドリカル面のベース半径中心点
２Ｓ  ビーム整形素子の光学的中心線を含む面
２ｈ  ビーム整形素子の固定位置
２１１  ビーム整形素子とビーム整形素子ホルダの接触部（稜線）
２１２  ビーム整形素子とビーム整形素子ホルダの接触部
２１３  ビーム整形素子ホルダと載置板の接触部（接触面）
５１  ２面の反射面を持つ立上げプリズム
１００  光ヘッド
１０１  光ディスク
１０２  ターンテーブル
１０３  クランパー
１０４  モータ
１０５  トラバース
１０６  制御回路
１０７  光ディスクドライブ
１１０  パソコン
１１２、１２１、１４２  モニター
１１３、１４３  キーボード
１２０  光ディスクレコーダー
１３０、１５１  液晶モニター
１３１  光ディスクプレーヤー
１４０  サーバー
１４４  ネットワーク
１５０  カーナビゲーションシステム
２００  少なくとも二つ以上の異なる波長を光源に持つ光学系
【発明を実施するための最良の形態】
【００３９】
以下に本発明の実施の形態について、図面を参照しながら説明する。【００４０】
（実施の形態１）
図１（ａ）は、本発明の実施の形態１における光ピックアップの構成を示す線図的説明図である。【００４１】
図１（ａ）において、１は波長λ（３９０ｎｍ〜４２０ｎｍ：代表として４０５ｎｍとする）のレーザ光を出射するレーザ光源、２はレーザ光の遠視野像の整形を行うビーム整形素子、３は光路を分割するビームスプリッタ、４はコリメートレンズ、５は光軸を折り曲げる立上げミラー、６は対物レンズ（光学レンズ）である。レーザ光源１、ビーム整形素子２、ビームスプリッタ３、コリメートレンズ４、立上げミラー５、及び対物レンズ６は、金属や樹脂で形成された同一の光学基台（図示せず）上に配置されている。【００４２】
７は基材厚みｔ１が略０．１ｍｍ以下の基材厚みで、波長λの光ビームによって記録・再生をされる光ディスクである。図１（ａ）では、光ディスク７は、光の入射面から記録面までの基材のみを図示している。実際には、光ディスク７は、機械的強度を補強し、又、外形をＣＤと同じ１．２ｍｍにするため、保護板と貼り合わせて作成されている。ただし、本発明の各図では、簡単のため保護材は省略する。なお、光ディスク７が、本発明の光情報記録媒体の一例にあたる。【００４３】
レーザ光源１は、好ましくは半導体レーザ光源とすることにより、光ピックアップ及びこれを用いた光情報装置を小型、軽量、低消費電力にすることができる。【００４４】
光ディスク７の記録再生を行う際には、レーザ光源１から出射した波長λの青色光ビームはビーム整形素子２によって整形され、ビームスプリッタ３で反射し、コリメートレンズ４によって略平行光にされ、さらに立上げミラー５によって光軸を折り曲げられ、１／４波長板８によって円偏光になる。そして屈折型の対物レンズ６によって光ディスク７の基材を通して情報記録面に集光される。なお、図１（ｂ）に示すように、対物レンズ６の、１／４波長板８と対向する側には、対物レンズ６のコバ部を覆う部材を利用した図中斜線部にて示すアパーチャ６ａが設けられており、入射した光は開口制限されてから、光ディスク７へ導かれる。【００４５】
なお、このときのビーム整形素子２によって整形された光線を光ディスク７に集光させる、ビームスプリッタ３、コリメートレンズ４、立上げミラー５、１／４波長板８、及び屈折型の対物レンズ６を合わせた構成が、本発明の集光部の一例にあたる。【００４６】
光ディスク７の情報記録面で反射した青色光ビームは、元の光路を逆にたどって（復路）、１／４波長板８によって、初期とは直角方向の直線偏光になり、コリメートレンズ４により焦点距離を伸ばされて、ビームスプリッタ３を透過・反射し、光検出器１０に入射する。光検出器１０の出力を演算することによって、焦点制御やトラッキング制御に用いるサーボ信号及び情報信号を得る。上記のようにビームスプリッタ３は、波長λの光ビームに関して、一方向の直線偏光を全反射し、それと直角方向の直線偏光を全透過する偏光分離膜を持った光路分岐素子である。なお、光検出器１０が、本発明の検出部の一例にあたる。【００４７】
次に、図１（ｃ）に、本実施の形態１の光ピックアップのビーム整形素子２の拡大構成図を示す。【００４８】
このビーム整形素子２は、入射面２ｉと出射面２ｏともシリンドリカル面で構成されたレンズであり、２ｉｍは入射面２ｉをｘｚ断面で見たときの、レンズ面上の点をｙ方向へ展開した点の集合から成る母線であり、同様に、２ｏｍは出射面２ｏをｘｚ断面で見たときの、レンズ面上の点をｙ方向へ展開した点の集合から成る母線である。一般的に、２面のシリンドリカル面でビーム整形素子２を構成する場合、２ｉｍと２ｏｍが略平行であると光学収差などの問題を起こしにくい。【００４９】
ビーム整形素子２は、レーザ光源１から出射される遠視野像の楕円形状を略円形状になるようビーム整形を行う。【００５０】
特に本実施の形態１においては、ビーム整形素子２は、図１（ｄ）に示すように、入射する光ビームの、光軸に対する断面形状である楕円形状について、その長軸方向を縮めることにより、略円形状に近付けるような整形を行うことを特徴とする。【００５１】
これは以下の作用をもたらす。第１に、ビーム整形素子２は、光ビームの形状を縮小させる整形を行う縮小系の光学部品である。これにより、光の周辺部における単位面積当たりの光量が増えることとなるため、略円形のアパーチャ６ａを通過し、対物レンズ６の入射する光束のＲＩＭ強度（この場合はアパーチャ６ａを通過した光束の光最高強度に対する、瞳端の強度比）が向上することとなる。【００５２】
なお、ビーム整形素子２による光の整形は、整形後の形状が、実質的な円形とみなされるには至らない程度の楕円形状とすることが望ましい。【００５３】
これは以下の理由による。すなわち、ビームの整形の倍率が高くなると、ビーム整形素子と光源の発光位置との間に相対的な位置ずれが生じ、これが非点収差を引き起こす。光源としての青紫色系の半導体レーザ１は、一般に発光角としてθ//：８°、θ⊥２０°であり、発光角比は２．５である。【００５４】
したがって、これ以上の発光角比を与えるビーム整形、すなわちビームを真円又は整形前と長軸及び短軸とが入れ替わった楕円形状となるような強い整形を行わないようにすることで、非点収差の発生を回避しつつ、ＲＩＭ強度の向上を図ることができる。【００５５】
又、縮小系を採用したことにより、集光部をなすレーザ光源１から光ディスク７までの往路の光学系の光路長を短くできる。これにより、光ピックアップの光学系を小型化し、ひいては光ピックアップ自体を小型化することが可能となる効果もある。【００５６】
なお、レーザ光源１から出射される楕円形状のビームを、ビーム整形素子２で整形した後の略円形状のビームが、本発明の所定形状の発散ビームの一例にあたる。【００５７】
さらに、本実施の形態１においては、往路でビームスプリッタ３による反射で光路を折り曲げ、立上げミラー５に光ディスク７の接線方向（タンジェンシャル方向：図１（ａ）〜（ｃ）中でＴ方向と示す）から入射させる構成とすることにより、光ビームの光軸を回転させ、ビーム整形素子２による光の整形方向を、光ディスク７の半径方向（ラジアル方向：図１（ａ）〜（ｃ）中でＲ方向と示す）と一致させている。【００５８】
これはＲＩＭ強度の向上に関して、さらに以下の効果をもたらす。すなわち、ＲＩＭ強度を、上記ラジアル方向とタンジェンシャル方向とに分けた場合、ラジアル方向のＲＩＭ強度を、タンジェンシャル方向のＲＩＭ強度よりも高くすると、情報記録面上において、記録又は再生の対象となる記録トラック外の領域、特にトラック方向に配列された隣接記録トラックからの反射光の影響を取り除き、より良い記録・再生性能が得られるからである。これはトラックピッチが狭い高密度ディスクの記録、再生において特に有利となる。【００５９】
さらに、本実施の形態においては、ビーム整形素子２の母線２ｉｍと２ｏｍは、光ディスク７の記録面に対して略垂直になるよう配置されている。【００６０】
従来の光ピックアップでは、ビーム整形素子のシリンドリカル面の曲率の中心線は、光ディスクの記録面に対して垂直関係ではなく、ビーム整形素子と光ディスクとはある傾きをもって配置されていた。ＲＩＭ強度を高くするためには、光ディスクの記録面に対して光線が正確に垂直に集光することが望ましいが、そのためには、ビーム整形素子と光ディスク間に配置される各光学部材は、上記ビーム整形素子と光ディスクとの傾きを予め考慮して設計しなければならない。したがって、光ディスクの記録面に正確に垂直に光線が集光されるように、ビーム整形素子と光ディスク間に配置される各光学部材を設計することは難しくなってしまう。【００６１】
これに対し、本実施の形態は、ビーム整形素子２のシリンドリカル面の曲率の中心線である母線２ｉｍと２ｏｍが、予め光ディスク７の記録面と垂直関係を有するように配置した。したがって、ビーム整形素子２と光ディスク７との間に配置される各光学部材の設計を容易に行うことができる。【００６２】
上述のように、本実施の形態においては縮小系のビーム整形素子２を用い、縮小変形により集光率が高くなる長軸方向を、光ディスク７のラジアル方向と一致するように、前記発散ビームの光軸を回転させるよう集光系を構成することで、ＲＩＭ強度の向上を図ることが出来る。【００６３】
なお、上記の説明においては、縮小系のビーム整形素子２を用いるとしたが、特許文献２のような拡大系のビーム整形素子を用いてもよい。図２（ａ）に示す構成例は、図１（ａ）に示す縮小系のビーム整形素子２の代わりに拡大系のビーム整形素子２′を用いた。ビーム整形素子２′は、図２（ｂ）に示すように、入射面２ｉ′と出射面２ｏ′ともシリンドリカル面で構成されたレンズであり、２ｉｍ′はシリンドリカル面である入射面２ｉ′をｘｚ断面で見たときの、レンズ面上の点をｙ方向へ展開した点の集合から成る母線であり、同様に、２ｏｍ′はシリンドリカル面である出射面２ｏ′をｘｚ断面で見たときの、レンズ面上の点をｙ方向へ展開した点の集合から成る母線である。ビーム整形素子２′の入射面２ｉ′と、ビーム整形素子２の出射面２ｏとは、向きのみ異なり同一の曲率を有する。同様に、ビーム整形素子２′の出射面２ｏ′も、ビーム整形素子２の入射面２ｉと、向きのみ異なる同一の曲率を有する。【００６４】
又、ビーム整形素子２′の母線２ｉｍ′及び２ｏｍ′は、ビーム整形素子２の母線２ｉｍ及び２ｏｍと直交している。【００６５】
以上のようなビーム整形素子２′を用いた場合、整形後の光ビームの断面における強度分布は、ビーム整形素子２を用いたものと直交することになるので、光ディスク７上に光スポットを形成する光ビームは、光ディスク７のタンジェンシャル方向に拡大され、ラジアル方向においては整形前の形状が維持される。これにより、ラジアル方向のＲＩＭ強度は維持されることとなる。【００６６】
なお、本実施の形態においては、組立性等の観点から、ビーム整形素子２は、光ディスク７と対向しない側の、光ディスク７の記録面と略平行な面で、光学基台に接していることが望ましい。これは以下の理由による。【００６７】
例えば、背景技術の項にて説明した特許文献１に示すような構成は、ビーム整形素子と発光点の距離が、温度変化に対して変化することにより発生する非点収差のみを考慮した構成である。【００６８】
この従来の構成の場合、例えば温度が変化した時に、光軸に直交しかつビーム整形素子がレンズ作用を持つ方向、すなわち図２４（ａ）の±ｘ方向（以降単にｘ方向と呼ぶ）に対して、発光点とビーム整形素子の位置関係がずれを発生してしまうことがある。ｘ方向に対し、発光点とビーム整形素子の位置関係がずれると、このｘ方向に対してビーム整形素子はレンズ作用を持つため、発光点から放射される光線の光軸が傾くことや、光線の遠視野像における光の強度分布の中心がずれることを引き起こしてしまう。【００６９】
なお、光軸に直交しかつビーム整形素子がレンズ作用を持たない方向、すなわち図２４（ｂ）の±ｙ方向（以降単にｙ方向と呼ぶ）に対しても、発光点とビーム整形素子の位置関係がずれを発生することもあるが、このｙ方向に対しては、ビーム整形素子がレンズ作用を持たないため、ずれを発生しても光学的に問題を起こす可能性が低い。【００７０】
本実施の形態によれば、上記の構成とすることで、光ピックアップの周囲温度が変化し、光学基台等の部品が熱により膨張や収縮したとしても、ビーム整形素子２はｙ方向に位置ずれを発生するのみであり、レンズ作用があるｘ方向に位置ずれを発生しにくい。従って、温度変化に対しても発光点を有するレーザ光源１との位置関係において、ｘ方向の位置ずれは最小限に抑えることができ、光軸傾きや遠視野像の光強度分布中心ずれといった、光ピックアップの光学性能劣化を抑制することができる。【００７１】
なお、ビーム整形素子２と光学基台の接触は、面でなく、複数の点や線であってもよく、この場合はその点や線を含む面が、光ディスク７の記録面と略平行であると、接触部が面の場合と同様の効果が得られる。この場合、ビーム整形素子２の外形のうち、光学基台との接触部が成す面は母線２ｉｍや２ｏｍと略垂直な構成である。【００７２】
又、ビーム整形素子２は光学収差を発生させないために、母線２ｉｍと２ｏｍが平行であることが一般的であるが、仮に母線２ｉｍと２ｏｍが平行で無い場合は、入射面２ｉか出射面２ｏのいずれか、特にビーム整形のレンズ作用に大きく作用しているいずれか一方側の面の母線が、光ピックアップ上で光ディスク７の記録面と略垂直に直交するような構成であってもよく、この場合でも同様に温度変化に対し、前述の光ピックアップの光学的性能劣化を抑制する効果がある。【００７３】
なお、この周囲温度に対応する上記構成においては、ビーム整形素子２の母線方向を、光ディスク７の記録面と必ずしも垂直とせず、実質的にはその成す角が９０°からθｚずれていてもよい。例えば温度変化時の光学基台などの膨張によるｘ方向の成分はｓｉｎθｚ程度の影響であるため、θｚが数度であれば影響は小さく無視でき、θｚが９０°の場合と同様の効果を得ることができるからである。【００７４】
又、本実施の形態１では、ビーム整形素子２が２面のシリンドリカル面を持つ場合について説明したが、１面だけシリンドリカル面を持つビーム整形素子であっても、同様の効果が得られる。【００７５】
又、本実施の形態１では、図１（ａ）のレーザ光源１からの出射光は、往路でビームスプリッタ３による反射で光路を折り曲げ、立上げミラー５にタンジェンシャル方向から入射しているため、上記のような構成となっているが、これはさらに以下の効果をもたらす。【００７６】
図３は、一般的な複数の波長光源を有する光ピックアップの構成を示す線図的説明図を示している。【００７７】
図３に示すように、立上げミラー５にタンジェンシャル方向から光を入射させる場合、少なくとも二つ以上の異なる波長を有するレーザ光源１を持つピックアップを構成し、少なくとも二つ以上の対物レンズ６で光ディスク７に光スポットを形成するような光ピックアップにおいて、他の波長を光源に持つ光学系２００の光路における立上げミラーに相当する面５′は、立上げミラー面５と図１３のように向かい合わせとすると、少なくとも２面の反射面を持つ三角形の立上げプリズム５１で構成することが出来るため、部品点数を削減できるから有利である。この場合、光ディスク７を支持するスピンドルモータとの空間的制約から、立上げプリズム（ミラー）５１への入射はタンジェンシャル方向である方が有利である。【００７８】
なお、本実施の形態１の構成において、レーザ光源１からの出射光の遠視野像の楕円の長軸方向をラジアル方向ではなく、タンジェンシャル方向と一致させた場合でも、ラジアル方向のＲＩＭ強度が高くなるような調整も原理的に可能であるが、この場合はレーザ光源１からの出射光の遠視野像の楕円の長軸を、短軸よりも短くする（長軸と短軸が入れ替る）程度の、ビーム整形倍率が必要となるが、ビーム整形倍率を高くしすぎると、収差が十分小さいレンズ設計が困難であることや、発光点とビーム整形素子２の相対位置ずれによる光学収差発生量が大きくなりすぎるため、取り扱いが困難になるため場合がある。【００７９】
又、光ディスク７のラジアル方向を、レーザ光源１からの出射光の遠視野像の楕円の長軸方向と一致させたことにより、レンズ設計によるビーム整形素子２のビーム整形倍率が変わると、ビーム整形後の遠視野像の短軸に対する長軸の長さが変わることであるから、実質的にラジアル方向のＲＩＭ強度を高くすることができる。【００８０】
又、上記の説明においては、アパーチャ６ａは、対物レンズ６のコバ部を覆う部材を利用して設けられるものとしたが、対物レンズ６が所望の開口数（一例として、青紫レーザの場合は０．８５）を満たすよう、入射する光を制限できるものであれば、アパーチャはその具体的な形状によって限定されない。例えば、対物レンズ６のコバ部、入射面又は出射面の縁部に板状部材を設けることにより実現しても良いし、塗装することにより形成してもよい。【００８１】
（実施の形態２）
図４（ａ）は、本発明の実施の形態２における光ピックアップの構成のうち、ビーム整形素子２の固定部の構成を示す線図的説明図である。図４（ａ）において、図１と同じ構成については同じ符号を用い説明を省略する。図４（ａ）において、ビーム整形素子２はレンズホルダ９に対し、外形の少なくとも一部が接触部として接している。【００８２】
又、図４（ｂ）は、本実施の形態２のビーム整形素子２のｘｚ断面図及びｙｚ断面図を示している。【００８３】
レーザ光源１は、光学基台に設けられたホルダ（図４（ａ）には図示せず、図６に示す光源あおりホルダ１１など）に設けられている。そして、レンズホルダ９は、その光学基台に設けられたホルダに連結して固定されている。なお、レンズホルダ９が、本発明の載置板の一例にあたる。【００８４】
ビーム整形素子２は、レンズホルダ９に対しビーム整形素子２の光学的な中心線２ｚを含み、光ディスク７の記録面に垂直な面２Ｓと、ビーム整形素子２の外形との交わる線２ｈ上において、２ｈ上のいずれかの固定点で固定されている。【００８５】
なお、ここで光学的な中心線とは、図４（ｂ）に示すように、このビーム整形素子２をｘｚ断面で見た場合、入射面２ｉ側のシリンドリカル面のベースとなる円の一部の中心点２ｉｃと、出射面２ｏ側のシリンドリカル面のベースとなる円の一部の中心点２ｏｃとを結んだ物であり、ｙｚ断面で見た場合、入射面と出射面ともレンズ面を持たないため直線であり、本来光学的中心が存在しないが、ここでは仮にビーム整形素子２のｙｚ平面の面積を２分割し、入射面か出射面の断面の少なくともいずれか一方と垂直に直交する線と定義する。【００８６】
このような構成とすることで、光ピックアップの温度変化により、ビーム整形素子２を保持する光学基台やレンズホルダ９が熱膨張したとしても、ビーム整形素子２はｘ方向に位置ずれを発生せず、光ピックアップの光学的性能劣化を抑制する効果がある。【００８７】
図５（ａ）は、従来の構成の光ピックアップで、周りの温度が上昇したときの、レーザ光源１からビーム整形素子２のシリンドリカル面に光線が入射する状態を説明するための図を示している。図５（ｂ）は、本実施の形態２の構成の光ピックアップを用いた場合の、周りの温度が上昇したときの、レーザ光源１からビーム整形素子２のシリンドリカル面に光線が入射する状態を説明するための図を示している。いずれも、レーザ光源１側から見た、ビーム整形素子２のシリンドリカル面の正面図を示している。【００８８】
図５（ａ）に示すように、従来の構成の光ピックアップでは、ビーム整形素子２の固定されている面は、必ずしも光源から入射する光線の長軸方向には一致していない。光ピックアップの周りの温度が上昇すると、ビーム整形素子２を保持する光学基台やレンズホルダ９が熱膨張して、レーザ光源１からの光軸に対して、ビーム整形素子２の位置ずれが生じる。【００８９】
ここでは、温度上昇によって、＋ｙ方向にのみ位置がずれた場合について考える。図５（ａ）に示すように、温度上昇前には、ビーム整形素子２はシリンドリカル面の中央、すなわち光線の長軸方向がシリンドリカル面の母線に対して対称となるように入射しているが、温度が上昇してビーム整形素子２が＋ｙ方向にずれると、光線の長軸方向がシリンドリカル面の母線に対してずれた位置に入射するようになってしまう。つまり、シリンドリカル面の母線に対して、光線の入射する位置が長軸方向にずれてしまう。【００９０】
これに対して、図５（ｂ）に示す本実施の形態２の構成の光ピックアップの場合には、ビーム整形素子２が固定される位置を、レーザ光源１から入射する光線の長軸方向に垂直となる位置としているので、温度が上昇してビーム整形素子２が＋ｙ方向にずれた場合に光線がビーム整形素子２に入射する位置は、光線の長軸方向に直角な方向（図５（ｂ）のｙ軸方向）には移動するが、長軸方向（図５（ｂ）のｘ軸方向）へのずれは生じない。【００９１】
このように、従来の構成の光ピックアップでは、ビーム整形素子２のｙ軸方向へのずれによって光線の入射位置の長軸方向へのずれも発生するのに対し、本実施の形態２の構成の光ピックアップでは、ｙ軸方向へのずれによっては光線の入射位置の長軸方向へのずれは発生しないので、従来よりもビーム整形素子２の長軸方向へのずれを抑制できる。【００９２】
又、本実施の形態２において、面に塗布された接着剤でビーム整形素子２をレンズホルダ９に固定する場合、接着剤はビーム整形素子２の母線に略左右対称となるように塗布されていれば、実質上の固定点は２ｈ上にあることと等価となり、本実施の形態２で示す効果が同様に得られる。【００９３】
又、図４（ａ）では、レンズホルダ９を２ｈを中心として対称な直方体としているが、このようにレンズホルダ９を２ｈを中心として対称な形状とするのが、より好ましい。又、図４（ａ）において、レンズホルダ９の側面全体で、光学基台に設けられたホルダに固定されていると、より好ましい。【００９４】
又、本実施の形態２において、レンズホルダ９は光学基台に対し一体成形されたものであってもよく、同様に本実施の形態２の効果は得られるものである。【００９５】
なお、本実施の形態２において、面２Ｓと光ディスク７の記録面が略垂直になるように構成されていると、実施の形態１と同様の効果を得ることも出来る。【００９６】
以上に説明したように、本実施の形態２の光ピックアップを用いることにより、温度変化に対して光軸方向である±ｚ方向（以降単にｚ方向と呼ぶ）に起因する非点収差発生量だけでなく、光軸直交方向のずれを抑制し、光軸傾きや遠視野像における光の強度分布中心ずれを十分抑制した保持・固定構造を提供することができる。【００９７】
（実施の形態３）
図６は、本発明の実施の形態３における光ピックアップの構成のうち、光源部分の構造を示す線図的説明図である。図６において、図１又は図４と同じ構成については同じ符号を用い説明を省略する。【００９８】
図６において、１１は光源あおりホルダ、１２は光軸調整ホルダを示す。レーザ光源１は、光源あおりホルダ１１に接着やかしめ等の方法で固定されている。更に、１３は光源あおりホルダ１１に取付けられ、ビーム整形素子２を搭載させることの出来る載置板である。ここで、光源あおりホルダ１１は光軸調整ホルダ１２に接触していて、略発光点中心で回転できる。【００９９】
このような構成とすることにより、レーザ光源１が製作上の発光角の傾きを持っている場合、すなわち、レーザ光源１から実際に出射される光の光軸が、理想の光軸から所定角傾いている場合、光源あおりホルダ１１を光軸調整ホルダ１２に対し図中ｘ軸周り（θｘ）、及びｙ軸回り（θｙ）にあおり調整することができるため、光源あおりホルダ１１ごと発光角を所望の角度に調整することができる。光軸調整ホルダ１２は光学基台（図示省略）に対し接触しており、上下左右に自由に摺動することで光ピックアップの組み立て時に光軸調整を行うことができる構造である。【０１００】
ここで、ビーム整形素子２は、光源あおりホルダ１１に取付けられた載置板１３に外形が接触するように配置されている。【０１０１】
図７に、製作上の傾きを補正の必要がある光源の傾きと、このビーム整形素子２の取付け傾きの関係を示す。図７（ａ）はｘｚ平面の正面図を示し、図７（ｂ）はｙｚ平面の断面図を示している。【０１０２】
図７（ａ）に一例として示すように、レーザ光源１の製作上の傾き補正のため、光源あおりホルダ１１が設計上の理想の光軸Ｏからθｙだけ傾いていたとしても、ビーム整形素子２をその光学的な中心線２ｚと、レーザ光源１の傾き補正後の光軸１ｚとが平行に重なるように配置することができる。【０１０３】
又、図７（ｂ）に示すように、ビーム整形素子２はその入射面と出射面の母線方向が、光源あおりホルダ１１に取付けられた載置板１３とビーム整形素子２が接触する接触面と略垂直に交わるように配置されている。【０１０４】
このような構成とすることで、例えばビーム整形素子２を有する光ピックアップの環境温度が変化したとしても、ホルダ部材の熱膨張によるビーム整形素子２の移動はｙ′とｚ′の方向に限られ、レンズ作用のあるｘ方向には、ずれを生じない。なお、ビーム整形素子２と載置板１３の接触部は面としたが、複数の点や線で接触していても、その接触点や線を含む面が、前述の接触面と略平行であれば、同様の効果を得られる。【０１０５】
ここで、図８〜図１６に、ビーム整形素子２及び載置板１３の他の例を示す。【０１０６】
図８（ａ）（ｂ）（ｃ）に示す例は載置板のｙｘ平面における断面をＶ溝として、稜線１３ａ上にビーム整形素子２を載置し、線接触させたものである。ただし、（ａ）はｚｘ平面から見た平面図、（ｂ）はｙｘ平面から見た正面図、（ｃ）はｙｚ平面から見た側面図であって、この対応は図８〜図１６で共通である。【０１０７】
又、図９（ａ）（ｂ）（ｃ）に示す例は、載置板１３のｙｘ平面における断面をＶ溝とし、さらにＶ溝の斜面上に設けた凸部１３ｂ上にビーム整形素子２を載置し、点接触としたものである。【０１０８】
又、図１０（ａ）（ｂ）（ｃ）に示す例は、載置板１３のｙｘ平面における断面をＶ溝とし、さらにＶ溝の斜面上に設けた凸線１３ｃ上にビーム整形素子２を載置し、線接触させたものである。【０１０９】
又、図１１（ａ）（ｂ）（ｃ）に示す例は、載置板１３の側面に側壁１３ｄを設け、ビーム整形素子２を載置板１３及び側壁１３ｄに、それぞれ稜線１３ｅでｘ、ｙ両方向から線接触させたものである。特にこの場合ｘ、ｙ方向の位置ずれを抑制できる。【０１１０】
又、図１２（ａ）（ｂ）（ｃ）に示す例は、載置板１３の側面に側壁１３ｄを設け、さらに載置板１３及び側壁１３ｄに、それぞれ凸部１３ｆを設けることにより、ビーム整形素子２をｘ、ｙ両方向から点接触としたものである。【０１１１】
又、図１３（ａ）（ｂ）（ｃ）に示す例は、図１２に示す構成例において、凸部１３ｆの代わりに凸線１３ｇを備えることにより、ビーム整形素子２をｘ、ｙ両方向から線接触させたものである。【０１１２】
又、図１４（ａ）（ｂ）（ｃ）に示す例は、ビーム整形素子２を、底面が平面であるビーム整形素子２″に置き換え、側壁１３ｄを有する載置板１３の側面に載置することにより、ビーム整形素子２″を接触面１３ｈで面接触し、側壁１３ｄにて稜線１３ｉで線接触させたものである。【０１１３】
又、図１５（ａ）（ｂ）（ｃ）に示す例は、図１４に示す構成例において、側壁１３ｄに凸部１３ｆを備えた構成とすることにより、ビーム整形素子２″を接触面１３ｈで面接触し、凸部１３ｆで点接触させたものである。【０１１４】
又、図１６（ａ）（ｂ）（ｃ）に示す例は、図１４に示す構成例において、側壁１３ｄに凸線１３ｇを備えた構成とすることにより、ビーム整形素子２″を接触面１３ｈで面接触し、凸線１３ｇで線接触させたものである。【０１１５】
以上の構成においても、Ｖ溝、側壁１３ｄ、凸部１３ｂ、１３ｆ、凸線１３ｇ等の配置は接触面と略平行であり、図６、７に示す構成例と同様の効果が得られる。【０１１６】
又、上記図８〜図１６の構成は、実施の形態１及び２の光ピックアップにおいて実施しても良い。【０１１７】
ここで補足を行うと、レーザ光源１の製作上の傾き補正のため、光源あおりホルダ１１がθｘに傾くと、同時に光源あおりホルダ１１に取付けられた載置板１３上に配置されたビーム整形素子２も同じ角度傾くことになる。このｙｚ平面から見た場合、ビーム整形素子２はレンズ作用のない、一定の厚みを持った平板として作用するが、レーザ光源１からの出射光は発散光であるため、この発散光中で平板を傾けると、非点収差を発生してしまう。【０１１８】
しかし、ビーム整形素子２は発光点との距離が設計値からずれると、非点収差を発生することを利用し、ビーム整形素子２が傾いた事に起因する非点収差は、ビーム整形素子２のｚ方向の移動で補正することが出来る。そして、このビーム整形素子２を固定後は、温度が変化したとしても、ホルダ部材の熱膨張によるビーム整形素子２の移動はｙ′とｚ′の方向に限られ、レンズ作用のあるｘ方向には、ずれを生じない。ｙ′にずれると言うことは更にｚ方向への移動も伴うが、一般的にθｘは１〜２°と小さいため、このときのｚ方向への位置ずれはごく微量なものであり、問題を起こしにくい。【０１１９】
ここで、ビーム整形素子２の外形は、載置板１３上に安定に自立させるために、載置板１３と面で接触するための平面を持っていると、なおよい。もちろん、このビーム整形素子２の外形が持つ平面は、構造上ビーム整形素子２の入出射面の母線と垂直である。さらにこのビーム整形素子２の外形が持つ平面は、ビーム整形素子２の例えば調整時の回転規正を兼ねることも可能である。【０１２０】
なお、ビーム整形素子２は光学収差を発生させないために、母線２ｉｍと２ｏｍが平行であることが一般的であるが、仮に母線２ｉｍと２ｏｍが平行で無い場合は、入射面２ｉか出射面２ｏのいずれか、特にビーム整形のレンズ作用に大きく作用しているいずれか一方側の面の母線が、光源あおりホルダ１１に取付けられた載置板１３とビーム整形素子２が接触する接触部を含む面と略垂直に交わるような構成であってもよく、この場合でも同様に温度変化に対し、前述の光ピックアップの光学的性能劣化を抑制する効果がある。【０１２１】
なお、載置板１３は、光源あおりホルダ１１と一体成形された物であっても、別部材で構成して光源あおりホルダ１１に固定されてあっても、同様の効果を得られる。【０１２２】
又、ビーム整形素子２は温度変化時の光源あおりホルダ１１や載置板１３の膨張・収縮に伴うｚ方向への移動を最小限に抑制するため、ビーム整形素子２は発光点にｚ方向の距離が可能な限り小さい位置で、光源あおりホルダ１１又は載置板１３に接着剤などで固定されていることが望ましい。【０１２３】
又、本実施の形態３において、ビーム整形素子２の光源あおりホルダ１１又は載置板１３への固定位置は、ビーム整形素子２の光学的中心線を含み、光源あおりホルダ１１に取付けられた載置板１３とビーム整形素子２が接触する接触部を含む面と略垂直に交わる線上であると、より本実施の形態３の効果を高められるものである。このとき、固定位置が接着剤などの面である場合は、その接着面がビーム整形素子２の母線に対し左右対称であると、なお効果が高い。【０１２４】
なお、本実施の形態３において、ビーム整形素子２の母線方向は、ビーム整形素子２と載置板１３の接触部を全て含む面と垂直としたが、実質的にはその成す角が９０°からθｚずれていたとしても、例えば温度変化時の光学基台やホルダ部材の膨張によるｘ方向の成分はｓｉｎθｚ程度の影響であるため、θｚが数度であれば影響は小さく無視できる。【０１２５】
又、本実施の形態３において、載置板１３が取付けられた光源あおりホルダ１１は、レーザ光源１の発光点近傍を中心にあおり調整をおこなうため、そのあおりの動作に伴う、載置板１３や載置板１３上のビーム整形素子２の移動範囲を考慮しなければならない。そこで、光学基台上にあおり調整時の載置板１３や載置板１３上のビーム整形素子２の移動範囲を避けるように、凹部か、貫通した孔を設けておくとよい。【０１２６】
又、本実施の形態３において、図７（ｂ）におけるθｘが０の場合、ビーム整形素子２の母線２ｉｍや２ｏｍが光ディスク７の記録面と略垂直になるよう構成されていれば、実施の形態１が示す構成と同様の効果も得られるものであり、θｘが０で無い場合は、ビーム整形素子２の母線２ｉｍや２ｏｍと光ディスク７の記録面との成す角が略９０°±θｘであれば又、実施の形態１で示す構成と同様の効果も得られるものである。【０１２７】
（実施の形態４）
図１７は、本発明の実施の形態４における光ピックアップの構成のうち、光源近傍部分の構造を示す説明図である。図１７において、図１から図７と同じ構成については同じ符号を用い説明を省略する。図１７（ａ）は斜視図を、図１７（ｂ）は図１７（ａ）のｘｙ平面の正面図をそれぞれ示している。【０１２８】
図１７（ａ）及び（ｂ）において、２１はビーム整形素子ホルダ、２２はビーム整形素子保持ばね、２３はビーム整形素子カバー、２３ａは調整ノブを示す。ビーム整形素子カバー２３はビーム整形素子２の側面及び上面を覆うように設けられた樹脂製、又は金属性の部材で、その上部には光ピックアップ組立時の調整用の調整ノブ２３ａが取付けられている。【０１２９】
また、ビーム整形素子ホルダ２１は、ビーム整形素子カバー２３が取り付けられた状態のビーム整形素子２を配置するように設けられた樹脂製、又は金属性の部材で、図１７（ｂ）に示す右側面においてビーム整形素子カバー２３の右外壁を覆う形状を有している。【０１３０】
ビーム整形素子保持ばね２２は、載置部１３からビーム整形素子ホルダ２１の右側面に回り込んで、ビーム整形素子カバー２３の上面に渡って形成されており、ビーム整形素子２に向かう弾性力を生じさせる。これにより、ビーム整形素子２はビーム整形素子カバー２３ごとビーム整形素子ホルダ２１に圧接される。【０１３１】
ビーム整形素子カバー２３はビーム整形素子２の天井部と接合面２１４で接着固定されている。【０１３２】
又、ビーム整形素子カバー２３の右側面とビーム整形素子ホルダ２１の右側の内壁とは、接触部２１２として面接触している。【０１３３】
又、ビーム整形素子ホルダ２１の左側の内壁とビーム整形素子２とは、稜線２１１で線接触している。【０１３４】
又、ビーム整形素子保持ばね２２とビーム整形素子カバー２３とは、稜線２１５で線接触している。【０１３５】
更に、接触部２１２を形成する接触面、稜線２１１及び稜線２１５は、互いに図中ｚ方向、すなわちビーム整形素子２の光軸に、平行な向きに伸びて形成されている。【０１３６】
又、ビーム整形素子保持ばね２２の上面にはスリット２２ａが開口されており、ビーム整形素子カバー２３の調整ノブ２３ａは、スリット２２ａを通じて外部に露出している。これにより、光ピックアップの調整者は、調整ノブ２３ａを把持して、ビーム整形素子カバー２３ごとビーム整形素子２をビーム整形素子ホルダ２１内で動かすことができる。【０１３７】
以上の構成において、ビーム整形素子カバー２３は、本発明の第１の外殻部の一例にあたる。又、ビーム整形素子ホルダ２１及びビーム整形素子保持ばね２２は、本発明の第２の外殻部の一例にあたる。又、スリット２２ａは本発明の空隙の一例にあたる。又、調整ノブ２３ａは本発明のつまみ部の一例にあたる。ビーム整形素子２、ビーム整形素子ホルダ２１、ビーム整形素子保持ばね２２及びビーム整形素子カバー２３は、本発明の光学素子の一例にあたる。【０１３８】
前述の実施の形態３で述べているように、ビーム整形素子２は図中ｚ方向、すなわち光軸方向に調整を行うことが一般的である。本実施の形態４の構造は、小型な部品でビーム整形素子２の調整と、安定な保持構造を実現させるものである。【０１３９】
以下、説明を行う。上述のように、ビーム整形素子２は、ビーム整形素子保持ばね２２からの弾性力を受けてビーム整形素子カバー２３内に固定されている。調整者はビーム整形素子カバー２３の調整ノブ２３ａを操作することによってビーム整形素子２を移動させることができるが、ビーム整形素子２は、図中ｚ軸に沿って互いに平行な接触部２１２、稜線２１１及び稜線２１５によって固定されている。【０１４０】
したがってビーム整形素子２が移動範囲は接触部２１２、稜線２１１及び稜線２１５の延伸方向、すなわち図中ｚ方向のみに限られ、これと直交するｘ−ｙ平面上の移動は規制される。【０１４１】
このように、その光軸方向のみにビーム整形素子２が移動可能な光学素子を構成し、これを実施の形態３の光ピックアップの載置板１３に備えることで、レーザ光の光軸の、図中ｘ−ｙ方向の調整と、図中ｚ方向との調整とを独立して行うことができる。【０１４２】
この場合、あらかじめ光源あおりホルダ１１に対しビーム整形素子ホルダ２１をθｙの傾きなく容易にｘ方向の調整を行い、光源あおりホルダ１１とビーム整形素子ホルダ２１を固定することが可能であり、ビーム整形素子２のｘ方向調整と、ｚ方向調整を独立した工程で行うことを可能とした。【０１４３】
これは、特に、光ピックアップとして実施の形態１の構成に用いた場合、以下の点で好適である。すなわち、実施の形態１にて説明したように、光ピックアップにおいてＲＩＭ強度を高める場合には、ビーム整形素子２による光ビームの断面形状の整形、及びビームスプリッタ３及び立ち上げミラー５等の集光系による光軸の回転が必要となるが、これらの調整の際し、レーザ光源１から出射されるレーザ光の光軸の集光系に対する位置あわせが重要である。【０１４４】
この位置あわせにおいて、図中ｘ方向における調整は、光ディスク７に入射する光ビームの出射光軸を曲げないためのものであり、図中ｚ方向における調整は、実施の形態３でも述べたように、ビーム整形素子２によるビーム整形に伴い生ずる球面収差を集光系にてキャンセルするために必須となる。【０１４５】
しかしながら、これら両軸方向の調整を同時に行うことは非常に困難である。【０１４６】
本実施の形態４の光ピックアップによれば、実施の形態３の構成を利用して先に光源あおりホルダ１１の回動操作によってｘ方向の調整を行った後に、ビーム整形素子カバー２３の摺動操作によってｚ方向の調整を行うことができるため、レーザ光の光軸の集光系に対する位置あわせが容易となる。したがって、ＲＩＭ強度を高めた本実施の形態１の光ピックアップを、容易に作成することが可能となる。又、光ピックアップの組立、調整工程の自由度を高められるといった大きな効果を持つ。【０１４７】
次に、本実施の形態の他の特徴を説明する。【０１４８】
一般的にビーム整形素子２はガラスや樹脂で成形された部品であるが、上述のようにビーム整形素子ホルダ２１は樹脂製、又は金属性の部材が用いられる。ビーム整形素子保持ばね２２も同様である。そこで、ビーム整形素子２がこれら部材と接触して摺動すると、ビーム整形素子２自体を傷つけることも考えられる。【０１４９】
そこで、本実施の形態４の構成では、ビーム整形素子２の外壁の一部をビーム整形素子カバー２３で覆い、ビーム整形素子ホルダ２１又はビーム整形素子保持ばね２２とビーム整形素子カバー２３との間で摺動が生ずるようにしている。ビーム整形素子２とビーム整形素子ホルダ２１とが直接接触により摺動するのは稜線２１１であるが、これは線接触なので、前述の傷の発生を十分許容範囲内としている。又これはビーム整形素子カバー２３の小型・簡素化を可能とする。【０１５０】
なお、ビーム整形素子ホルダ２１は、稜線２１１によってビーム整形素子２と線接触の代わりに、点接触するような構成としてもよい。この場合、実施の形態３の図９、図１２等で示した凸部１３ｂと同様の凸部を、ビーム整形素子２との接触部分に設けるようにすればよい。また、図１０の凸線の１３ｃの構成を利用した線接触としてもよい。【０１５１】
又、調整ノブ２３ａを外部に露出させていることで、ビーム整形素子保持ばね２２の弾性力に抗してｚ方向への再調整も容易となっている。【０１５２】
又、本実施の形態においては、ビーム整形素子２は、ビーム整形素子２の母線２ｉｍ、２ｏｍが、光源あおりホルダ１１に取付けられた載置板１３とビーム整形素子２を保持するビーム整形素子ホルダ２１が接触する接触面２１３と、略垂直に交わるような構成となっている。【０１５３】
このような構成とすることで、実施の形態２と同様、温度変化時の載置板１３の膨張・収縮によるビーム整形素子２のｘ方向への位置ずれは最小限に抑えられ、光ピックアップの光学性能劣化を起こしにくい構造とすることができる。なお、ビーム整形素子ホルダ２１と載置板１３の接触面２１３は面としたが、複数の点や線で接触していても、その接触点や線を含む面が、前述の接触面２１３と略平行であれば、同様の効果を得られる。【０１５４】
なお、本実施の形態４のビーム整形素子ホルダ２１の構造において、図１７ではビーム整形素子２との各接触部、稜線は、図１７（ｂ）に示すように、ビーム整形素子２の母線２ｉｍ、２ｏｍに対して左右非対称な構成としたが、各接触部、稜線は、ビーム整形素子２の母線に対して左右対称となるよう構成してもよい。この場合、構造的には、光ピックアップ内部の温度変化時にビーム整形素子２がｘ方向に全く動かない構造とすることが出来、なおよい。要するに、各接触部、稜線としての本発明の接触部は、ビーム整形素子をその光軸方向に直交する方向に移動しないよう規制できるものであれば、その配置、具体的な構成によって限定されるものではない。【０１５５】
又、ビーム整形素子２は光学収差を発生させないために、母線２ｉｍと２ｏｍが平行であることが一般的であるが、仮に２ｉｍと２ｏｍが平行で無い場合は、入射面２ｉか出射面２ｏのいずれか、特にビーム整形のレンズ作用に大きく作用しているいずれか一方側の面の母線が、光源あおりホルダ１１に取付けられた載置板１３とビーム整形素子２を保持するビーム整形素子ホルダ２１が接触する接触面２１３を含む面と、略垂直に交わるような構成であってもよく、この場合でも同様に、温度変化に対し前述の光ピックアップの光学的性能劣化を抑制する効果がある。【０１５６】
なお、本実施の形態４において、光源に青色半導体レーザを用いる場合には、ビーム整形素子２は、温度に対する安定性、経時的な耐久性などの観点からガラスであることが望ましい。【０１５７】
又、本実施の形態４において、大量生産とコスト、製品の信頼性向上の多様な観点から、光源あおりホルダ１１及び光軸調整ホルダ１２は、亜鉛やアルミニウムといった金属材料で構成されていることが望ましい。【０１５８】
又、本実施の形態４において、光源あおりホルダ１１等と同様の理由で、ビーム整形素子ホルダ２１及びビーム整形素子カバー２３も、亜鉛やアルミニウムといった金属材料であることが望ましく、このビーム整形素子ホルダ２１上でビーム整形素子２をスムーズに摺動させるために、表面に塗装等を施して潤滑性を高めることが望ましい。【０１５９】
このとき、潤滑塗装は、全面に施してもよいが、少なくとも、ビーム整形素子ホルダ２１とビーム整形素子２との接触部分である稜線２１１を含む面、及びビーム整形素子ホルダ２１とビーム整形素子カバー２３とが接触する接触部２１２に対応する各面に行うことが望ましい。【０１６０】
又、ビーム整形素子ホルダ２１と載置板１３を接着固定する場合には、その接着性を損なわないために、潤滑塗装は、このとき、ビーム整形素子ホルダ２１にいて載置板１３の表面及びその近傍は、ビーム整形素子２及ビーム整形素子カバー２３と対向しない側の面である、載置板１３との接触面２１３近傍の接着剤塗布部には施されていないことが望ましい。【０１６１】
又、本実施の形態４において、ビーム整形素子保持ばね２２は、ビーム整形素子２をビーム整形素子ホルダ２１に常に一定の圧力で押しつけるために、弾性をもった薄いアルミ、ステンレス、銅等の金属で構成されていることが望ましい。【０１６２】
又、本実施の形態４において、調整ノブ２３ａは、ビーム整形素子カバー２３と一体的な部材であるとして説明を行ったが、別部材であってもよい。このとき、小型化の観点や、ビーム整形素子２とビーム整形素子ホルダ２１間に摩擦のために挿入されるといった観点から、ビーム整形素子カバー２３と同種又は異種の薄い金属材料で構成されていると、その形状を形成しやすく有利である。【０１６３】
又、本実施の形態４において、ビーム整形素子保持ばね２２は、更に光源あおりホルダ１１に取付けられた載置板１３も同時に保持する構造とした。これは組立時の作業性や、構造の安定性を更に高めることが出来、なおよい。ただし、ビーム整形素子保持ばね２２はビーム整形素子ホルダ２１及びビーム整形素子カバー２３のみを保持するような構成であってもよい。【０１６４】
又、本実施の形態４において、ビーム整形素子ホルダ２１と、光源あおりホルダ１１に取付けられた載置板１３は、ビーム整形素子２のｘ方向の調整を行う際に接着剤によって固定すると、より構造を安定化できるので、なおよい。又、光源あおりホルダ１１と載置板１３は一体成形されたものであってもよく、このような構造にすると光源あおりホルダ１１と載置板１３の相対位置が安定になるため、さらに温度変化に対する安定性を高められる。【０１６５】
又、本実施の形態４において、ビーム整形素子２の光源あおりホルダ１１又は載置板１３への固定位置は、ビーム整形素子２の光学的中心線を含み、光源あおりホルダ１１に取付けられた載置板１３と、ビーム整形素子２を保持するビーム整形素子ホルダ２１が接触する接触部を含む面と略垂直に交わる面が、ビーム整形素子２の外形と交わる線上であると、なお効果を高められるものである。このとき、固定位置が接着剤などの面である場合は、その接着面がビーム整形素子２の母線に対し左右対称であると、なお効果が高い。【０１６６】
又、この接着位置に関しては、実施の形態２と同様、ビーム整形素子２は温度変化時の光源あおりホルダ１１や載置板１３の膨張・収縮に伴うｚ方向への移動を最小限に抑制するため、ビーム整形素子２は発光点にｚ方向の距離が可能な限り小さい位置で、光源あおりホルダ１１又は載置板１３に接着剤などで固定されていることが望ましい。【０１６７】
ここで、本実施の形態４においては、ビーム整形素子２と載置板１３の間に、ビーム整形素子ホルダ２１が存在しているため、ビーム整形素子２と載置板１３を直接接着剤で固定することが容易ではない。そこで、光源あおりホルダ１１とビーム整形素子２を接着剤で固定するために、光源あおりホルダ１１上にビーム整形素子２との固定接着剤塗布用の延長部材２５が取付けられている。【０１６８】
ビーム整形素子２をこの延長部材２５に接着固定することで、光源とビーム整形素子２の間に存在する部材は、光源あおりホルダ１１と、延長部材２５と、お互いを固定する接着剤のみとなり、より温度変化時のホルダの膨張の影響が、ｚ方向にも小さく安定化させることが出来る。さらに、光源あおりホルダ１１と延長部材２５を一体成形することで、より一層ｚ方向の温度変化時の安定性を高めることが出来る効果もある。【０１６９】
なお、本実施の形態４において、ビーム整形素子２の母線方向は、ビーム整形素子ホルダ２１と載置板１３の接触部を全て含む面と垂直としたが、実質的にはその成す角が９０°からθｚずれていたとしても、例えば温度変化時の光学基台やホルダ部材の膨張によるｘ方向の成分はｓｉｎθｚ程度の影響であるため、θｚが数度であれば影響は小さく無視できる。【０１７０】
又、本実施の形態４において、実施の形態３の図７（ｂ）に示すような光源あおりホルダ１１の傾きθｘがある場合、このθｘが０であり、ビーム整形素子２の母線２ｉｍや２ｏｍが光ディスク７の記録面と略垂直になるよう構成されていれば、実施の形態１が示す構成と同様の効果も得られるものである。又、θｘが０で無い場合も、ビーム整形素子２の母線２ｉｍや２ｏｍと光ディスク７の記録面との成す角が略９０°±θｘであれば、実施の形態１で示す構成と同様の効果も得られるものである。【０１７１】
又、本実施の形態４において、載置板１３が取付けられた光源あおりホルダ１１が、光源の発光点近傍を中心にあおり調整をおこなうため、そのあおりの動作に伴う、載置板１３や載置板１３上のビーム整形素子ホルダ２１の移動範囲を考慮しなければならない。そこで、あおり調整時の載置板１３や載置板１３上のビーム整形素子ホルダ２１の移動範囲を避けるように、光学基台上に、凹部か貫通した孔を設けておくとよい。ここで光学基台とは、図１、図３に示す集光系を構成する各光学部品を配置するための部材を指す。【０１７２】
（実施の形態５）
さらに、本発明の光ピックアップを用いた、本発明の実施の形態５の光情報装置について説明する。【０１７３】
図１８は、本実施の形態５の光情報装置の一例としての光ディスクドライブ１０７の全体構成図を示している。【０１７４】
光ディスク１０１は、ターンテーブル１０２とクランパー１０３で挟んで固定されており、モータ（回転系）１０４によって回転させられる。実施の形態１から実施の形態４のいずれかに記載した本発明の光ピックアップを有する光ヘッド１００は、トラバース（移送系）１０５上に乗っており、照射する光が光ディスク１０１の内周から外周まで移動できるようにしている。制御回路１０６は、光ヘッド１００から受けた信号をもとにフォーカス制御、トラッキング制御、トラバース制御、モータの回転制御等を行う。又、制御回路１０６は、再生信号から情報の再生や、記録信号の光ヘッド１００への送出も行う。【０１７５】
なお、制御回路１０６が、本発明の電気回路の一例にあたる。【０１７６】
（実施の形態６）
図１９に、実施の形態５に記した本発明の光ディスクドライブ（光情報記録再生装置）を具備した、本発明の実施の形態６のコンピュータの概略斜視図を示す。【０１７７】
図１９において、パソコン（コンピュータ）１１０は、実施の形態５の光ディスクドライブ１０７と、情報の入力を行うためのキーボード１１３と、情報の表示を行うためのモニター１１２とを備える。又、コンピュータ１１０は、キーボード１１３から入力された情報及び光ディスクドライブ１０７から再生された情報に基づいて演算を行う演算装置を備えている。【０１７８】
なお、キーボード１１３が、本発明の入力装置又は入力端子の一例にあたり、モニター１１２が、本発明の出力装置又は出力端子の一例にあたる。【０１７９】
上述の実施の形態５の光ディスクドライブ１０７を外部記憶装置として具備した本実施の形態６のコンピュータ１１０は、異なる種類の光ディスクに情報を安定に記録あるいは再生でき、広い用途に使用できるという効果を有するものとなる。【０１８０】
光ディスクドライブ１０７はその大容量性を生かして、コンピュータ１１０内のハードディスクのバックアップをとったり、メディア（光ディスク）が安価で携帯が容易であること、他の光ディスクドライブでも情報が読み出せるという互換性があることを生かして、プログラムやデータを人と交換したり、自分用に持ち歩いたりすることができる。又、ＤＶＤやＣＤ等の既存のメディアの再生／記録にも対応できる。【０１８１】
（実施の形態７）
図２０に、実施の形態５に記した本発明の光ディスクドライブ（光情報記録再生装置）を具備した、本発明の実施の形態７の光ディスクレコーダー（映像記録再生装置）の概略斜視図を示す。【０１８２】
図２０において、本実施の形態７の光ディスクレコーダー１２０は、実施の形態５の光ディスクドライブ１０７（図示せず）を内蔵しており、記録している映像の表示を行うためのモニター１２１と接続されて使用される。又、光ディスクレコーダー１２０は、画像
情報を光ディスクドライブ１０７によって記録する情報に変換する、画像から情報へのエンコーダーを備えている。【０１８３】
なお、光ディスクレコーダー１２０が、本発明の光情報媒体レコーダの一例にあたる。【０１８４】
上述の実施の形態５の光ディスクドライブ１０７を具備した、光ディスクレコーダー１２０は、異なる種類の光ディスクに映像を安定に記録あるいは再生でき、広い用途に使用できるという効果を有するものとなる。【０１８５】
光ディスクレコーダー１２０は、メディア（光ディスク）に映像を記録し、好きな時にそれを再生することができる。光ディスクレコーダー１２０では、テープのように記録後や再生後に巻き戻しの作業が必要なく、ある番組を記録しながらその番組の先頭部分を再生する追っかけ再生や、ある番組を記録しながら以前に記録した番組を再生する同時記録再生が可能となる。メディアが安価で携帯が容易であること、他の光ディスクレコーダーでも情報が読み出せるという互換性があることを生かして、記録した映像を人と交換したり、自分用に持ち歩いたりすることができる。またＤＶＤやＣＤ等の既存のメディアの再生／記録にも対応する。【０１８６】
なお、ここでは、光ディスクレコーダー１２０が光ディスクドライブ１０７だけを備える場合について説明したが、ハードディスクを内蔵していても良いし、ビデオテープの録画再生機能を内蔵していても良い。その場合、映像の一時退避や、バックアップが容易にできる。【０１８７】
（実施の形態８）
図２１に、実施の形態５に記した本発明の光ディスクドライブ（光情報記録再生装置）を具備した、本発明の実施の形態８の光ディスクプレーヤー（映像再生装置）の概略斜視図を示す。【０１８８】
図２１において、液晶モニター１３０を備えた本実施の形態８の光ディスクプレーヤー１３１は、実施の形態５の光ディスクドライブ１０７（図示せず）を内蔵しており、光ディスクに記録された映像を液晶モニター１３０に表示することができる。又、光ディスクプレーヤー１３１は、光ディスクドライブ１０７から得られる情報信号を画像に変換する、情報から画像へのデコーダーを備えている。なお、光ディスクプレーヤー１３１が、本発明の光情報媒体プレーヤの一例にあたる。【０１８９】
上述の実施の形態５の光ディスクドライブ１０７を具備した光ディスクプレーヤー１３１は、異なる種類の光ディスクの映像を安定に再生でき、広い用途に使用できるという効果を有するものとなる。【０１９０】
光ディスクプレーヤー１３１は、メディア（光ディスク）に記録された映像を好きな時に再生することができる。光ディスクプレーヤー１３１では、テープのように再生後に巻き戻しの作業が必要なく、ある映像の任意の場所にアクセスして再生することができる。またＤＶＤやＣＤ等の既存のメディアの再生にも対応する。【０１９１】
（実施の形態９）
図２２に、実施の形態５に記した本発明の光ディスクドライブ（光情報記録再生装置）を具備した、本発明の実施の形態９のサーバーの概略斜視図を示す。【０１９２】
図２２において、本実施の形態９のサーバー１４０は、実施の形態５の光ディスクドライブ１０７と、情報の表示を行うためのモニター１４２と、情報の入力を行うためのキー
ボード１４３とを備え、ネットワーク１４４に接続されている。【０１９３】
なお、サーバー１４０が、本発明の光ディスクサーバの一例にあたる。又、サーバー１４０のネットワーク１４４に接続されている端子が、本発明の、外部との情報のやりとりを行う入出力端子の一例にあたる。【０１９４】
上述の実施の形態５の光ディスクドライブ１０７を外部記憶装置として具備したサーバー１４０は、異なる種類の光ディスクに情報を安定に記録あるいは再生でき、広い用途に使用できるという効果を有するものとなる。【０１９５】
光ディスクドライブ１０７は、その大容量性を生かして、ネットワーク１４４からの要求に応じ、光ディスクに記録されている情報（画像、音声、映像、ＨＴＭＬ文書、テキスト文書等）を送出する。又、ネットワーク１４４から送られてくる情報をその要求された場所に記録する。又、ＤＶＤやＣＤ等の既存のメディアに記録された情報も再生が可能であるので、それらの情報を送出することも可能となる。【０１９６】
（実施の形態１０）
図２３に、実施の形態５に記した本発明の光ディスクドライブ（光情報記録再生装置）を具備した、本発明の実施の形態１０のカーナビゲーションシステムの概略構成図を示す。【０１９７】
図２３において、本実施の形態１０のカーナビゲーションシステム１５０は、実施の形態５光ディスクドライブ１０７（図示せず）を内蔵しており、地形や行き先情報の表示を行うための液晶モニター１５１と接続されて使用される。又、カーナビゲーションシステム１５０は、光ディスクドライブ１０７から得られる情報信号を画像に変換する、情報から画像へのデコーダーを備えている。【０１９８】
上述の実施の形態５の光ディスクドライブ１０７を具備したカーナビゲーションシステム１５０は、異なる種類の光ディスクに映像を安定に記録あるいは再生でき、広い用途に使用できるという効果を有するものとなる。【０１９９】
カーナビゲーションシステム１５０は、メディア（光ディスク）に記録された地図情報と、地上位置確定システム（ＧＰＳ）や、ジャイロスコープ、速度計、走行距離計等の情報を元に、現在位置を割り出し、その位置を液晶モニター１５１上に表示する。また行き先を入力すると、地図情報や道路情報を元に行き先までの最適な経路を割り出し、それを液晶モニター１５１に表示する。【０２００】
地図情報を記録するために大容量の光ディスクを用いることで、一枚のディスクで広い地域をカバーして細かい道路情報を提供することができる。又、その道路近辺に付随する、レストランやコンビニエンスストア、ガソリンスタンドなどの情報も同時に光ディスクに格納して提供することができる。さらに、道路情報は時間がたつと古くなり、現実と合わなくなるが、光ディスクは互換性がありメディアが安価であるため、新しい道路情報を収めたディスクと交換することで最新の情報を得ることができる。またＤＶＤやＣＤ等の既存のメディアの再生／記録にも対応するため、自動車の中で映画を見たり音楽を聴いたりすることも可能である。【０２０１】
以上に説明したように、本発明の光ピックアップを用いると、光の利用効率が向上して高倍速記録や２層ディスク等に対応できるという有利な効果が得られると同時に、光ピックアップの温度や環境変化に対する性能が向上するという効果が得られる。【０２０２】
本発明の光ピックアップは、光ディスクを利用するコンピュータからＡＶ機器まで、幅広い産業分野で利用することができ、その産業上の利用可能性は非常に広く且つ大きい。
【産業上の利用可能性】
【０２０３】
本発明に係る光ピックアップ、光学素子、光情報装置、コンピュータ、光情報媒体プレーヤ、カーナビゲーションシステム、光情報媒体レコーダ、及び光ディスクサーバは、ビーム整形素子によるＲＩＭ強度の調整、向上を図ることが可能な効果を有し、光ディスクを利用するコンピュータからＡＶ機器まで、幅広い産業分野で有用である。
【図１（ａ）】
2007099963.tif 000003
【図１（ｂ）】
2007099963.tif 000004
【図１（ｃ）】
2007099963.tif 000005
【図１（ｄ）】
2007099963.tif 000006
【図２】
2007099963.tif 000007
【図３】
2007099963.tif 000008
【図４】
2007099963.tif 000009
【図５】
2007099963.tif 000010
【図６】
2007099963.tif 000011
【図７】
2007099963.tif 000012
【図８】
2007099963.tif 000013
【図９】
2007099963.tif 000014
【図１０】
2007099963.tif 000015
【図１１】
2007099963.tif 000016
【図１２】
2007099963.tif 000017
【図１３】
2007099963.tif 000018
【図１４】
2007099963.tif 000019
【図１５】
2007099963.tif 000020
【図１６】
2007099963.tif 000021
【図１７】
2007099963.tif 000022
【図１８】
2007099963.tif 000023
【図１９】
2007099963.tif 000024
【図２０】
2007099963.tif 000025
【図２１】
2007099963.tif 000026
【図２２】
2007099963.tif 000027
【図２３】
2007099963.tif 000028
【図２４】
2007099963.tif 000029
【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
遠視野像が楕円の発散ビームを出射する光源と、
前記光源から出射された前記発散ビームを、その楕円形状の少なくとも長軸方向を縮ませた所定形状の発散ビームに整形する、少なくとも１面のシリンドリカル面を有するビーム整形素子と、
前記ビーム整形素子から出射された前記所定形状の発散ビームを光情報記録媒体の記録面に対して垂直に集光させる集光部と、
前記光情報記録媒体で反射したビームを検出する光検出部とを備え、
前記集光部は、前記所定形状の発散ビームの長軸方向が縮まった向きが前記光情報記録媒体のラジアル方向と一致するように、前記発散ビームの光軸を回転させる、光ピックアップ。
【請求項２】
前記集光部の前記整形における前記楕円形状の収縮率は、前記光源の発光角比より小さい、請求項１記載の光ピックアップ。
【請求項３】
前記ビーム整形素子の前記シリンドリカル面の母線は、前記光情報記録媒体の前記記録面に対して垂直である、請求項１記載の光ピックアップ。
【請求項４】
前記ビーム整形素子によって整形された後の前記所定形状の発散ビームは、整形される前の前記楕円形状の発散ビームの長軸方向と同じ方向の幅が、整形される前の前記楕円形状の発散ビームの短軸方向と同じ方向の幅よりも長い、請求項１記載の光ピックアップ。
【請求項５】
光源から出射された楕円の発散ビームを所定形状の発散ビームに整形する、少なくとも１面のシリンドリカル面を有するビーム整形素子と、
前記ビーム整形素子の周囲の一部を覆うように設けられ、前記ビーム整形素子の側壁の周囲の一部に固定されている第１の外殻部と、
前記第１の外殻部の周囲の一部及び前記ビーム整形素子の周囲の一部を覆うように設けられ、前記第１の外殻部の周囲の一部及び前記ビーム整形素子の側壁の周囲の他の一部と摺動可能に接触する接触部を有する第２の外殻部とを備え、
前記第２の外殻部は前記第１の外殻部の表面を外部へ露出させる空隙を有し、
前記第１の外殻部は、前記第１の外殻部の前記空隙から突出した、外部から操作可能なつまみ部を有し、
前記第２の外殻部の前記接触部は、前記ビーム整形素子を、その光軸方向に直交する方向に移動しないよう規制している、光学素子。
【請求項６】
前記第２の外殻部の前記接触部は、前記第１の外殻部と面接触する第１の側壁と、前記第１の外殻部に弾性力を加える第２の側壁と、前記ビーム整形素子と点接触又は線接触する第３の側壁とを有し、
前記第１の側壁、前記２の側壁及び前記第３の側壁は前記ビーム整形素子の光軸と平行な方向に形成されており、
前記空隙は、前記第２の側壁上に設けられている、請求項５記載の光学素子。
【請求項７】
前記第１の外殻部及び前記第２の外殻部は、少なくとも、
前記第２の外殻部の前記接触部の前記第１の側壁及び前記第３の側壁と前記第１の外殻部とが接触する部分が、塗装されている、請求項５記載の光学素子。
【請求項８】
前記第２の外殻部は、前記ビーム整形素子及び前記第１の外殻部と対向しない側の面に、塗装されていない部分を有する、請求項７記載の光学素子。
【請求項９】
遠視野像が楕円の発散ビームを出射する光源と、
請求項５記載の光学素子と、
前記光学素子の前記ビーム整形素子で整形された前記所定形状の発散ビームを、光情報記録媒体の記録面に対して垂直に集光させる集光部と、
前記光情報記録媒体で反射したビームを検出する光検出部と、
前記光学素子の前記第２の外殻部が固定される載置板と、
前記集光部に対して固定された位置に設けられた、前記光源が取り付けられた光軸調整ホルダと、
前記光軸調整ホルダに回動自在に連結され、前記載置板が固定されている、光源あおりホルダとを備え、
前記光源あおりホルダの回動により、前記光源から出射される前記楕円の発散ビームの光軸の前記集光部に対する位置が調整される、光ピックアップ。
【請求項１０】
前記光学素子は、前記載置板に接着剤で固定されている、請求項９記載の光ピックアップ。
【請求項１１】
前記光源あおりホルダは、前記ビーム整形素子の前記シリンドリカル面の母線と、前記光情報記録媒体の前記記録面との成す角度が、前記光源から出射される前記発散ビームの前記楕円形状の短軸方向への発光角傾きの角度と直角との和に等しくなる位置に調整されている、請求項９記載の光ピックアップ。
【請求項１２】
前記光源あおりホルダと前記載置板は一体成形されたものである、請求項９記載の光ピックアップ。
【請求項１３】
前記ビーム整形素子は、前記光源あおりホルダに接着剤で固定されている、請求項９記載の光ピックアップ。
【請求項１４】
前記集光部が配置される光学基台を備え、
前記光学基台には、前記光源あおりホルダをあおり調整した際に、前記載置板及び前記載置板上に取り付けられている部材を避けるための凹部又は貫通孔が形成されている、請求項９記載の光ピックアップ。
【請求項１５】
請求項１又は９記載の光ピックアップを有する光ヘッド装置と、
光情報記録媒体を回転するモータと、
前記光ヘッド装置から得られる信号に基づいて、前記モータ、光学レンズ及び前記光源を、制御及び駆動する電器回路とを備えた、光情報装置。
【請求項１６】
請求項１５記載の光情報装置と、
情報を入力するための入力装置又は入力端子と、
前記入力装置又は入力端子から入力された情報、及び／又は前記光情報装置から再生された情報に基づいて演算を行う演算装置と、
前記入力装置又は入力端子から入力された情報、及び／又は前記光情報装置から再生された情報、及び／又は前記演算装置によって演算された結果を、表示又は出力するための出力装置又は出力端子を備えた、コンピュータ。
【請求項１７】
請求項１５記載の光情報装置と、
前記光情報装置から得られる情報信号を画像に変換する、情報から画像へのデコーダーとを備えた、光情報媒体プレーヤ。
【請求項１８】
請求項１５記載の光情報装置と、
前記光情報装置から得られる情報信号を画像に変換する、情報から画像へのデコーダーとを備えた、カーナビゲーションシステム。
【請求項１９】
請求項１５記載の光情報装置と、
画像情報を前記光情報装置によって記録する情報に変換する、画像から情報へのエンコーダーとを備えた、光情報媒体レコーダ。
【請求項２０】
請求項１５記載の光情報装置と、
外部との情報のやりとりを行う入出力端子とを備えた、光ディスクサーバ。
【手続補正２】
【補正対象書類名】明細書
【補正対象項目名】全文
【補正方法】変更
【補正の内容】
【発明の詳細な説明】
【技術分野】
【０００１】
本発明は、光ピックアップから光情報記録媒体に光を照射して情報の記録及び／又は再生を行う、光ピックアップ、光学素子、光情報装置、コンピュータ、光情報媒体プレーヤ、カーナビゲーションシステム、光情報媒体レコーダ、及び光ディスクサーバに関するものである。
【背景技術】
【０００２】
ディジタルオーディオや画像、動画、コンピュータ等で作成された文書ファイルやデータファイルを記録、保存するための記録媒体は多種多様だが、その一つに光ディスクがある。中でもＤＶＤ（Digital Versatile Disk）は従来のＣＤ（Compact Disc）と比較して高密度かつ大容量であり、録画機の分野においても、現在主流であるＶＴＲ（Video TapeRecorder）に替わる媒体として普及してきている。さらに近年、青紫色半導体レーザを用い、記録密度をより一層高めた次世代の光ディスクの研究が各所で進められており、早期の登場と普及が待たれている。又、これらの光ディスクにおいて、データの記録・再生を行うためには光ピックアップ装置が必要である。
【０００３】
光ディスクに情報の記録又は再生を行う光ピックアップは、一般的に、光源と、光源から出射されるビームを光ディスクに集光させる対物レンズと、光ディスクから反射したビームを検出する検出器とを備える。
【０００４】
光源としての半導体レーザは、薄い活性層の端面からビームが放射するので、ビームの断面形状、すなわち光軸方向から見た形状は楕円となり、その短軸と長軸の比はほぼ１：３程度となっている。光ディスクに情報を記録する際には、光の利用効率の向上の観点から、楕円のビームを円形に整形することが望まれている。
【０００５】
このようなビーム整形素子としては、アナモフィックプリズムやアナモフィックレンズが一般的であるが、アナモフィックプリズムは半導体レーザから出射した発散光をコリメートした後の平行光束中で使用しなければならず、光ピックアップ小型化の妨げとなる。そこで発散光束のビーム整形が行えるアナモフィックレンズを使用することで、光の利用効率を高くし、かつ小型の光ピックアップを実現できる。
【０００６】
一方、実際に光ピックアップを構成する他の素子として、反射系の光学素子や対物レンズがあるが、これらの素子は一般的に初期特性として非点収差を持つ場合がある。アナモフィックレンズによるビーム整形素子はその特性上、発光点との設計値からの距離ずれにより非点収差を発生するが、光ピックアップにおいては、逆にこの性質を利用して、反射系の光学素子や対物レンズの持つ非点収差を補正することができる。このような構成とすることで、光ピックアップの対物レンズより出射されて光ディスク上に形成されるスポットの品質を向上させることができる。
【０００７】
図２４は、ビーム整形素子の保持構造の一つの従来例の、光源部の構成を示す線図的説明図を示している（例えば、特許文献１参照）。図２４（ａ）はｘｚ断面図を、図２４（ｂ）はｙｚ断面図を、それぞれ示している。
【０００８】
なお、本明細書において、光源の発光点から見て光軸に平行な方向を＋ｚ方向、発光点から見て、光軸に垂直で光記録媒体に平行な方向を±ｘ方向、発光点から見て光軸に垂直で光記録媒体にも垂直な方向を±ｙ方向と呼び、ｘ軸ｙ軸及びｚ軸は互いに直交するものである。
【０００９】
この特許文献１に開示されている光源部は、楕円発散ビームを射出する半導体レーザＰと、半導体レーザＰから射出された楕円発散ビームを略円形発散ビームに変換するビーム整形素子Ｌと、それらを一体的に保持する保持部材Ｈとを備えている。
【００１０】
ビーム整形素子Ｌは、第１面（Ｓ１）と第２面（Ｓ２）が共にｘ方向にのみ曲率を有するシリンダー面で構成されており、その両シリンダー面（Ｓ１、Ｓ２）は、半導体レーザＰからの取り込み角度の小さい方の断面（すなわちｘｚ断面）にのみ、半導体レーザＰに対して凹面となる曲率を有している。
【００１１】
この従来例の光源部は、図２４（ａ）（ｂ）に示すｓとｔの距離を等しくし、ビーム整形素子Ｌの線膨張係数と保持部材Ｈの線膨張係数を等しくすることで、環境温度変化に伴う波面収差を抑えながら、略円形の形状を保ちながら発散する光ビームを出射できる光源装置を提供できるとしている。
【００１２】
又、ビーム整形素子の安定的な構成として、特許文献２に示す例もある。これは、入射面及び出射面の双方がシリンドリカル面である形状を有し、入射した断面楕円形状のビームを、その長軸方向の大きさを保ったまま、短軸方向を拡大することにより略円形に整形するものである。
【特許文献１】特開２００３−１７８４８０号公報
【特許文献２】特開２００４−２４７０３２号公報
【発明の開示】
【発明が解決しようとする課題】
【００１３】
レーザを用いる高密度光ディスクの実用においては、ＲＩＭ強度が重要視されている。ＲＩＭ強度とは、光ピックアップの対物レンズ近傍のアパーチャを通過した光束の光最高強度に対する、瞳端の強度比であり、これを高めることは、高密度光ディスクの情報の記録、再生の高品質化に欠かせないものとなってきている。
【００１４】
しかしながら、上記各特許文献に記載の従来の光ピックアップにおいては、ＲＩＭ強度を調整し向上させるという観点から、ビーム整形素子によるビーム整形の方法、又はビーム整形素子の光ピックアップ内における配置について考慮がされていなかった。
【００１５】
本発明は、上述した課題を解決するもので、ビーム整形素子によるＲＩＭ強度の調整、向上を目的とした光ピックアップ、光学素子、光情報装置、コンピュータ、光情報媒体プレーヤ、カーナビゲーションシステム、光情報媒体レコーダ、及び光ディスクサーバを提供することを目的とする。
【課題を解決するための手段】
【００１６】
上記の目的を達成するために、第１の本発明は、遠視野像が楕円の発散ビームを出射する光源と、
前記光源から出射された前記発散ビームを、その楕円形状の少なくとも長軸方向を縮ませた所定形状の発散ビームに整形する、少なくとも１面のシリンドリカル面を有するビーム整形素子と、
前記ビーム整形素子から出射された前記所定形状の発散ビームを光情報記録媒体の記録面に対して垂直に集光させる集光部と、
前記光情報記録媒体で反射したビームを検出する光検出部とを備え、
前記集光部は、前記所定形状の発散ビームの長軸方向が縮まった向きが前記光情報記録媒体のラジアル方向と一致するように、前記発散ビームの光軸を回転させる、光ピックアップである。
【００１７】
また、第２の本発明は、前記集光部の前記整形における前記楕円形状の収縮率は、前記光源の発光角比より小さい、第１の本発明の光ピックアップである。
【００１８】
また、第３の本発明は、前記ビーム整形素子の前記シリンドリカル面の母線は、前記光情報記録媒体の前記記録面に対して垂直である、第１の本発明の光ピックアップである。
【００１９】
また、第４の本発明は、前記ビーム整形素子によって整形された後の前記所定形状の発散ビームは、整形される前の前記楕円形状の発散ビームの長軸方向と同じ方向の幅が、整形される前の前記楕円形状の発散ビームの短軸方向と同じ方向の幅よりも長い、第１の本発明の光ピックアップである。
【００２０】
また、第５の本発明は、光源から出射された楕円の発散ビームを所定形状の発散ビームに整形する、少なくとも１面のシリンドリカル面を有するビーム整形素子と、
前記ビーム整形素子の周囲の一部を覆うように設けられ、前記ビーム整形素子の側壁の周囲の一部に固定されている第１の外殻部と、
前記第１の外殻部の周囲の一部及び前記ビーム整形素子の周囲の一部を覆うように設けられ、前記第１の外殻部の周囲の一部及び前記ビーム整形素子の側壁の周囲の他の一部と摺動可能に接触する接触部を有する第２の外殻部とを備え、
前記第２の外殻部は前記第１の外殻部の表面を外部へ露出させる空隙を有し、
前記第１の外殻部は、前記第１の外殻部の前記空隙から突出した、外部から操作可能なつまみ部を有し、
前記第２の外殻部の前記接触部は、前記ビーム整形素子を、その光軸方向に直交する方向に移動しないよう規制している、光学素子である。
【００２１】
また、第６の本発明は、前記第２の外殻部の前記接触部は、前記第１の外殻部と面接触する第１の側壁と、前記第１の外殻部に弾性力を加える第２の側壁と、前記ビーム整形素子と点接触又は線接触する第３の側壁とを有し、
前記第１の側壁、前記２の側壁及び前記第３の側壁は前記ビーム整形素子の光軸と平行な方向に形成されており、
前記空隙は、前記第２の側壁上に設けられている、第５の本発明の光学素子である。
【００２２】
また、第７の本発明は、前記第１の外殻部及び前記第２の外殻部は、少なくとも、
前記第２の外殻部の前記接触部の前記第１の側壁及び前記第３の側壁と前記第１の外殻部とが接触する部分が、塗装されている、第５の本発明の光学素子である。
【００２３】
また、第８の本発明は、前記第２の外殻部は、前記ビーム整形素子及び前記第１の外殻部と対向しない側の面に、塗装されていない部分を有する、第７の本発明の光学素子である。
【００２４】
また、第９の本発明は、遠視野像が楕円の発散ビームを出射する光源と、
第５の本発明の光学素子と、
前記光学素子の前記ビーム整形素子で整形された前記所定形状の発散ビームを、光情報記録媒体の記録面に対して垂直に集光させる集光部と、
前記光情報記録媒体で反射したビームを検出する光検出部と、
前記光学素子の前記第２の外殻部が固定される載置板と、
前記集光部に対して固定された位置に設けられた、前記光源が取り付けられた光軸調整ホルダと、
前記光軸調整ホルダに回動自在に連結され、前記載置板が固定されている、光源あおりホルダとを備え、
前記光源あおりホルダの回動により、前記光源から出射される前記楕円の発散ビームの光軸の前記集光部に対する位置が調整される、光ピックアップである。
【００２５】
また、第１０の本発明は、前記光学素子は、前記載置板に接着剤で固定されている、第９の本発明の光ピックアップである。 
【００２６】
また、第１１の本発明は、前記光源あおりホルダは、前記ビーム整形素子の前記シリンドリカル面の母線と、前記光情報記録媒体の前記記録面との成す角度が、前記光源から出射される前記発散ビームの前記楕円形状の短軸方向への発光角傾きの角度と直角との和に等しくなる位置に調整されている、第９の本発明の光ピックアップである。 
【００２７】
また、第１２の本発明は、前記光源あおりホルダと前記載置板は一体成形されたものである、第９の本発明の光ピックアップである。 
【００２８】
また、第１３の本発明は、前記ビーム整形素子は、前記光源あおりホルダに接着剤で固定されている、第９の本発明の光ピックアップである。 
【００２９】
また、第１４の本発明は、前記集光部が配置される光学基台を備え、
前記光学基台には、前記光源あおりホルダをあおり調整した際に、前記載置板及び前記載置板上に取り付けられている部材を避けるための凹部又は貫通孔が形成されている、第９の本発明の光ピックアップである。 
【００３０】
また、第１５の本発明は、第１又は第９の本発明の光ピックアップを有する光ヘッド装置と、
光情報記録媒体を回転するモータと、
前記光ヘッド装置から得られる信号に基づいて、前記モータ、光学レンズ及び前記光源を、制御及び駆動する電器回路とを備えた、光情報装置である。 
【００３１】
また、第１６の本発明は、第１５の本発明の光情報装置と、
情報を入力するための入力装置又は入力端子と、
前記入力装置又は入力端子から入力された情報、及び／又は前記光情報装置から再生された情報に基づいて演算を行う演算装置と、
前記入力装置又は入力端子から入力された情報、及び／又は前記光情報装置から再生された情報、及び／又は前記演算装置によって演算された結果を、表示又は出力するための出力装置又は出力端子を備えた、コンピュータである。 
【００３２】
また、第１７の本発明は、第１５の本発明の光情報装置と、
前記光情報装置から得られる情報信号を画像に変換する、情報から画像へのデコーダーとを備えた、光情報媒体プレーヤである。 
【００３３】
また、第１８の本発明は、第１５の本発明の光情報装置と、
前記光情報装置から得られる情報信号を画像に変換する、情報から画像へのデコーダーとを備えた、カーナビゲーションシステムである。 
【００３４】
また、第１９の本発明は、第１５の本発明の光情報装置と、
画像情報を前記光情報装置によって記録する情報に変換する、画像から情報へのエンコーダーとを備えた、光情報媒体レコーダである。 
【００３５】
また、第２０の本発明は、第１５の本発明の光情報装置と、
外部との情報のやりとりを行う入出力端子とを備えた、光ディスクサーバである。 
【発明の効果】
【００３６】
本発明により、ビーム整形素子によるＲＩＭ強度の調整、向上が可能な光ピックアップ、光学素子、光情報装置、コンピュータ、光情報媒体プレーヤ、カーナビゲーションシステム、光情報媒体レコーダ、及び光ディスクサーバを提供できる。
【発明を実施するための最良の形態】
【００３７】
以下に本発明の実施の形態について、図面を参照しながら説明する。
【００３８】
（実施の形態１）
図１（ａ）は、本発明の実施の形態１における光ピックアップの構成を示す線図的説明図である。
【００３９】
図１（ａ）において、１は波長λ（３９０ｎｍ〜４２０ｎｍ：代表として４０５ｎｍとする）のレーザ光を出射するレーザ光源、２はレーザ光の遠視野像の整形を行うビーム整形素子、３は光路を分割するビームスプリッタ、４はコリメートレンズ、５は光軸を折り曲げる立上げミラー、６は対物レンズ（光学レンズ）である。レーザ光源１、ビーム整形素子２、ビームスプリッタ３、コリメートレンズ４、立上げミラー５、及び対物レンズ６は、金属や樹脂で形成された同一の光学基台（図示せず）上に配置されている。
【００４０】
７は基材厚みｔ１が略０．１ｍｍ以下の基材厚みで、波長λの光ビームによって記録・再生をされる光ディスクである。図１（ａ）では、光ディスク７は、光の入射面から記録面までの基材のみを図示している。実際には、光ディスク７は、機械的強度を補強し、又、外形をＣＤと同じ１．２ｍｍにするため、保護板と貼り合わせて作成されている。ただし、本発明の各図では、簡単のため保護材は省略する。なお、光ディスク７が、本発明の光情報記録媒体の一例にあたる。
【００４１】
レーザ光源１は、好ましくは半導体レーザ光源とすることにより、光ピックアップ及びこれを用いた光情報装置を小型、軽量、低消費電力にすることができる。
【００４２】
光ディスク７の記録再生を行う際には、レーザ光源１から出射した波長λの青色光ビームはビーム整形素子２によって整形され、ビームスプリッタ３で反射し、コリメートレンズ４によって略平行光にされ、さらに立上げミラー５によって光軸を折り曲げられ、１／４波長板８によって円偏光になる。そして屈折型の対物レンズ６によって光ディスク７の基材を通して情報記録面に集光される。なお、図１（ｂ）に示すように、対物レンズ６の、１／４波長板８と対向する側には、対物レンズ６のコバ部を覆う部材を利用した図中斜線部にて示すアパーチャ６ａが設けられており、入射した光は開口制限されてから、光ディスク７へ導かれる。
【００４３】
なお、このときのビーム整形素子２によって整形された光線を光ディスク７に集光させる、ビームスプリッタ３、コリメートレンズ４、立上げミラー５、１／４波長板８、及び屈折型の対物レンズ６を合わせた構成が、本発明の集光部の一例にあたる。
【００４４】
光ディスク７の情報記録面で反射した青色光ビームは、元の光路を逆にたどって（復路）、１／４波長板８によって、初期とは直角方向の直線偏光になり、コリメートレンズ４により焦点距離を伸ばされて、ビームスプリッタ３を透過・反射し、光検出器１０に入射する。光検出器１０の出力を演算することによって、焦点制御やトラッキング制御に用いるサーボ信号及び情報信号を得る。上記のようにビームスプリッタ３は、波長λの光ビームに関して、一方向の直線偏光を全反射し、それと直角方向の直線偏光を全透過する偏光分離膜を持った光路分岐素子である。なお、光検出器１０が、本発明の検出部の一例にあたる。
【００４５】
次に、図１（ｃ）に、本実施の形態１の光ピックアップのビーム整形素子２の拡大構成図を示す。
【００４６】
このビーム整形素子２は、入射面２ｉと出射面２ｏともシリンドリカル面で構成されたレンズであり、２ｉｍは入射面２ｉをｘｚ断面で見たときの、レンズ面上の点をｙ方向へ展開した点の集合から成る母線であり、同様に、２ｏｍは出射面２ｏをｘｚ断面で見たときの、レンズ面上の点をｙ方向へ展開した点の集合から成る母線である。一般的に、２面のシリンドリカル面でビーム整形素子２を構成する場合、２ｉｍと２ｏｍが略平行であると光学収差などの問題を起こしにくい。
【００４７】
ビーム整形素子２は、レーザ光源１から出射される遠視野像の楕円形状を略円形状になるようビーム整形を行う。
【００４８】
特に本実施の形態１においては、ビーム整形素子２は、図１（ｄ）に示すように、入射する光ビームの、光軸に対する断面形状である楕円形状について、その長軸方向を縮めることにより、略円形状に近付けるような整形を行うことを特徴とする。
【００４９】
これは以下の作用をもたらす。第１に、ビーム整形素子２は、光ビームの形状を縮小させる整形を行う縮小系の光学部品である。これにより、光の周辺部における単位面積当たりの光量が増えることとなるため、略円形のアパーチャ６ａを通過し、対物レンズ６の入射する光束のＲＩＭ強度（この場合はアパーチャ６ａを通過した光束の光最高強度に対する、瞳端の強度比）が向上することとなる。
【００５０】
なお、ビーム整形素子２による光の整形は、整形後の形状が、実質的な円形とみなされるには至らない程度の楕円形状とすることが望ましい。
【００５１】
これは以下の理由による。すなわち、ビームの整形の倍率が高くなると、ビーム整形素子と光源の発光位置との間に相対的な位置ずれが生じ、これが非点収差を引き起こす。光源としての青紫色系の半導体レーザ１は、一般に発光角としてθ//：８°、θ⊥２０°であり、発光角比は２．５である。
【００５２】
したがって、これ以上の発光角比を与えるビーム整形、すなわちビームを真円又は整形前と長軸及び短軸とが入れ替わった楕円形状となるような強い整形を行わないようにすることで、非点収差の発生を回避しつつ、ＲＩＭ強度の向上を図ることができる。
【００５３】
又、縮小系を採用したことにより、集光部をなすレーザ光源１から光ディスク７までの往路の光学系の光路長を短くできる。これにより、光ピックアップの光学系を小型化し、ひいては光ピックアップ自体を小型化することが可能となる効果もある。
【００５４】
なお、レーザ光源１から出射される楕円形状のビームを、ビーム整形素子２で整形した後の略円形状のビームが、本発明の所定形状の発散ビームの一例にあたる。
【００５５】
さらに、本実施の形態１においては、往路でビームスプリッタ３による反射で光路を折り曲げ、立上げミラー５に光ディスク７の接線方向（タンジェンシャル方向：図１（ａ）〜（ｃ）中でＴ方向と示す）から入射させる構成とすることにより、光ビームの光軸を回転させ、ビーム整形素子２による光の整形方向を、光ディスク７の半径方向（ラジアル方向：図１（ａ）〜（ｃ）中でＲ方向と示す）と一致させている。
【００５６】
これはＲＩＭ強度の向上に関して、さらに以下の効果をもたらす。すなわち、ＲＩＭ強度を、上記ラジアル方向とタンジェンシャル方向とに分けた場合、ラジアル方向のＲＩＭ強度を、タンジェンシャル方向のＲＩＭ強度よりも高くすると、情報記録面上において、記録又は再生の対象となる記録トラック外の領域、特にトラック方向に配列された隣接記録トラックからの反射光の影響を取り除き、より良い記録・再生性能が得られるからである。これはトラックピッチが狭い高密度ディスクの記録、再生において特に有利となる。
【００５７】
さらに、本実施の形態においては、ビーム整形素子２の母線２ｉｍと２ｏｍは、光ディスク７の記録面に対して略垂直になるよう配置されている。
【００５８】
従来の光ピックアップでは、ビーム整形素子のシリンドリカル面の曲率の中心線は、光ディスクの記録面に対して垂直関係ではなく、ビーム整形素子と光ディスクとはある傾きをもって配置されていた。ＲＩＭ強度を高くするためには、光ディスクの記録面に対して光線が正確に垂直に集光することが望ましいが、そのためには、ビーム整形素子と光ディスク間に配置される各光学部材は、上記ビーム整形素子と光ディスクとの傾きを予め考慮して設計しなければならない。したがって、光ディスクの記録面に正確に垂直に光線が集光されるように、ビーム整形素子と光ディスク間に配置される各光学部材を設計することは難しくなってしまう。
【００５９】
これに対し、本実施の形態は、ビーム整形素子２のシリンドリカル面の曲率の中心線である母線２ｉｍと２ｏｍが、予め光ディスク７の記録面と垂直関係を有するように配置した。したがって、ビーム整形素子２と光ディスク７との間に配置される各光学部材の設計を容易に行うことができる。
【００６０】
上述のように、本実施の形態においては縮小系のビーム整形素子２を用い、縮小変形により集光率が高くなる長軸方向を、光ディスク７のラジアル方向と一致するように、前記発散ビームの光軸を回転させるよう集光系を構成することで、ＲＩＭ強度の向上を図ることが出来る。
【００６１】
なお、上記の説明においては、縮小系のビーム整形素子２を用いるとしたが、特許文献２のような拡大系のビーム整形素子を用いてもよい。図２（ａ）に示す構成例は、図１（ａ）に示す縮小系のビーム整形素子２の代わりに拡大系のビーム整形素子２′を用いた。ビーム整形素子２′は、図２（ｂ）に示すように、入射面２ｉ′と出射面２ｏ′ともシリンドリカル面で構成されたレンズであり、２ｉｍ′はシリンドリカル面である入射面２ｉ′をｘｚ断面で見たときの、レンズ面上の点をｙ方向へ展開した点の集合から成る母線であり、同様に、２ｏｍ′はシリンドリカル面である出射面２ｏ′をｘｚ断面で見たときの、レンズ面上の点をｙ方向へ展開した点の集合から成る母線である。ビーム整形素子２′の入射面２ｉ′と、ビーム整形素子２の出射面２ｏとは、向きのみ異なり同一の曲率を有する。同様に、ビーム整形素子２′の出射面２ｏ′も、ビーム整形素子２の入射面２ｉと、向きのみ異なる同一の曲率を有する。
【００６２】
又、ビーム整形素子２′の母線２ｉｍ′及び２ｏｍ′は、ビーム整形素子２の母線２ｉｍ及び２ｏｍと直交している。
【００６３】
以上のようなビーム整形素子２′を用いた場合、整形後の光ビームの断面における強度分布は、ビーム整形素子２を用いたものと直交することになるので、光ディスク７上に光スポットを形成する光ビームは、光ディスク７のタンジェンシャル方向に拡大され、ラジアル方向においては整形前の形状が維持される。これにより、ラジアル方向のＲＩＭ強度は維持されることとなる。
【００６４】
なお、本実施の形態においては、組立性等の観点から、ビーム整形素子２は、光ディスク７と対向しない側の、光ディスク７の記録面と略平行な面で、光学基台に接していることが望ましい。これは以下の理由による。
【００６５】
例えば、背景技術の項にて説明した特許文献１に示すような構成は、ビーム整形素子と発光点の距離が、温度変化に対して変化することにより発生する非点収差のみを考慮した構成である。
【００６６】
この従来の構成の場合、例えば温度が変化した時に、光軸に直交しかつビーム整形素子がレンズ作用を持つ方向、すなわち図２４（ａ）の±ｘ方向（以降単にｘ方向と呼ぶ）に対して、発光点とビーム整形素子の位置関係がずれを発生してしまうことがある。ｘ方向に対し、発光点とビーム整形素子の位置関係がずれると、このｘ方向に対してビーム整形素子はレンズ作用を持つため、発光点から放射される光線の光軸が傾くことや、光線の遠視野像における光の強度分布の中心がずれることを引き起こしてしまう。
【００６７】
なお、光軸に直交しかつビーム整形素子がレンズ作用を持たない方向、すなわち図２４（ｂ）の±ｙ方向（以降単にｙ方向と呼ぶ）に対しても、発光点とビーム整形素子の位置関係がずれを発生することもあるが、このｙ方向に対しては、ビーム整形素子がレンズ作用を持たないため、ずれを発生しても光学的に問題を起こす可能性が低い。
【００６８】
本実施の形態によれば、上記の構成とすることで、光ピックアップの周囲温度が変化し、光学基台等の部品が熱により膨張や収縮したとしても、ビーム整形素子２はｙ方向に位置ずれを発生するのみであり、レンズ作用があるｘ方向に位置ずれを発生しにくい。従って、温度変化に対しても発光点を有するレーザ光源１との位置関係において、ｘ方向の位置ずれは最小限に抑えることができ、光軸傾きや遠視野像の光強度分布中心ずれといった、光ピックアップの光学性能劣化を抑制することができる。
【００６９】
なお、ビーム整形素子２と光学基台の接触は、面でなく、複数の点や線であってもよく、この場合はその点や線を含む面が、光ディスク７の記録面と略平行であると、接触部が面の場合と同様の効果が得られる。この場合、ビーム整形素子２の外形のうち、光学基台との接触部が成す面は母線２ｉｍや２ｏｍと略垂直な構成である。
【００７０】
又、ビーム整形素子２は光学収差を発生させないために、母線２ｉｍと２ｏｍが平行であることが一般的であるが、仮に母線２ｉｍと２ｏｍが平行で無い場合は、入射面２ｉか出射面２ｏのいずれか、特にビーム整形のレンズ作用に大きく作用しているいずれか一方側の面の母線が、光ピックアップ上で光ディスク７の記録面と略垂直に直交するような構成であってもよく、この場合でも同様に温度変化に対し、前述の光ピックアップの光学的性能劣化を抑制する効果がある。
【００７１】
なお、この周囲温度に対応する上記構成においては、ビーム整形素子２の母線方向を、光ディスク７の記録面と必ずしも垂直とせず、実質的にはその成す角が９０°からθｚずれていてもよい。例えば温度変化時の光学基台などの膨張によるｘ方向の成分はｓｉｎθｚ程度の影響であるため、θｚが数度であれば影響は小さく無視でき、θｚが９０°の場合と同様の効果を得ることができるからである。
【００７２】
又、本実施の形態１では、ビーム整形素子２が２面のシリンドリカル面を持つ場合について説明したが、１面だけシリンドリカル面を持つビーム整形素子であっても、同様の効果が得られる。
【００７３】
又、本実施の形態１では、図１（ａ）のレーザ光源１からの出射光は、往路でビームスプリッタ３による反射で光路を折り曲げ、立上げミラー５にタンジェンシャル方向から入射しているため、上記のような構成となっているが、これはさらに以下の効果をもたらす。
【００７４】
図３は、一般的な複数の波長光源を有する光ピックアップの構成を示す線図的説明図を示している。
【００７５】
図３に示すように、立上げミラー５にタンジェンシャル方向から光を入射させる場合、少なくとも二つ以上の異なる波長を有するレーザ光源１を持つピックアップを構成し、少なくとも二つ以上の対物レンズ６で光ディスク７に光スポットを形成するような光ピックアップにおいて、他の波長を光源に持つ光学系２００の光路における立上げミラーに相当する面５′は、立上げミラー面５と図１３のように向かい合わせとすると、少なくとも２面の反射面を持つ三角形の立上げプリズム５１で構成することが出来るため、部品点数を削減できるから有利である。この場合、光ディスク７を支持するスピンドルモータとの空間的制約から、立上げプリズム（ミラー）５１への入射はタンジェンシャル方向である方が有利である。
【００７６】
なお、本実施の形態１の構成において、レーザ光源１からの出射光の遠視野像の楕円の長軸方向をラジアル方向ではなく、タンジェンシャル方向と一致させた場合でも、ラジアル方向のＲＩＭ強度が高くなるような調整も原理的に可能であるが、この場合はレーザ光源１からの出射光の遠視野像の楕円の長軸を、短軸よりも短くする（長軸と短軸が入れ替る）程度の、ビーム整形倍率が必要となるが、ビーム整形倍率を高くしすぎると、収差が十分小さいレンズ設計が困難であることや、発光点とビーム整形素子２の相対位置ずれによる光学収差発生量が大きくなりすぎるため、取り扱いが困難になるため場合がある。
【００７７】
又、光ディスク７のラジアル方向を、レーザ光源１からの出射光の遠視野像の楕円の長軸方向と一致させたことにより、レンズ設計によるビーム整形素子２のビーム整形倍率が変わると、ビーム整形後の遠視野像の短軸に対する長軸の長さが変わることであるから、実質的にラジアル方向のＲＩＭ強度を高くすることができる。
【００７８】
又、上記の説明においては、アパーチャ６ａは、対物レンズ６のコバ部を覆う部材を利用して設けられるものとしたが、対物レンズ６が所望の開口数（一例として、青紫レーザの場合は０．８５）を満たすよう、入射する光を制限できるものであれば、アパーチャはその具体的な形状によって限定されない。例えば、対物レンズ６のコバ部、入射面又は出射面の縁部に板状部材を設けることにより実現しても良いし、塗装することにより形成してもよい。
【００７９】
（実施の形態２）
図４（ａ）は、本発明の実施の形態２における光ピックアップの構成のうち、ビーム整形素子２の固定部の構成を示す線図的説明図である。図４（ａ）において、図１と同じ構成については同じ符号を用い説明を省略する。図４（ａ）において、ビーム整形素子２はレンズホルダ９に対し、外形の少なくとも一部が接触部として接している。
【００８０】
又、図４（ｂ）は、本実施の形態２のビーム整形素子２のｘｚ断面図及びｙｚ断面図を示している。
【００８１】
レーザ光源１は、光学基台に設けられたホルダ（図４（ａ）には図示せず、図６に示す光源あおりホルダ１１など）に設けられている。そして、レンズホルダ９は、その光学基台に設けられたホルダに連結して固定されている。なお、レンズホルダ９が、本発明の載置板の一例にあたる。
【００８２】
ビーム整形素子２は、レンズホルダ９に対しビーム整形素子２の光学的な中心線２ｚを含み、光ディスク７の記録面に垂直な面２Ｓと、ビーム整形素子２の外形との交わる線２ｈ上において、２ｈ上のいずれかの固定点で固定されている。
【００８３】
なお、ここで光学的な中心線とは、図４（ｂ）に示すように、このビーム整形素子２をｘｚ断面で見た場合、入射面２ｉ側のシリンドリカル面のベースとなる円の一部の中心点２ｉｃと、出射面２ｏ側のシリンドリカル面のベースとなる円の一部の中心点２ｏｃとを結んだ物であり、ｙｚ断面で見た場合、入射面と出射面ともレンズ面を持たないため直線であり、本来光学的中心が存在しないが、ここでは仮にビーム整形素子２のｙｚ平面の面積を２分割し、入射面か出射面の断面の少なくともいずれか一方と垂直に直交する線と定義する。
【００８４】
このような構成とすることで、光ピックアップの温度変化により、ビーム整形素子２を保持する光学基台やレンズホルダ９が熱膨張したとしても、ビーム整形素子２はｘ方向に位置ずれを発生せず、光ピックアップの光学的性能劣化を抑制する効果がある。
【００８５】
図５（ａ）は、従来の構成の光ピックアップで、周りの温度が上昇したときの、レーザ光源１からビーム整形素子２のシリンドリカル面に光線が入射する状態を説明するための図を示している。図５（ｂ）は、本実施の形態２の構成の光ピックアップを用いた場合の、周りの温度が上昇したときの、レーザ光源１からビーム整形素子２のシリンドリカル面に光線が入射する状態を説明するための図を示している。いずれも、レーザ光源１側から見た、ビーム整形素子２のシリンドリカル面の正面図を示している。
【００８６】
図５（ａ）に示すように、従来の構成の光ピックアップでは、ビーム整形素子２の固定されている面は、必ずしも光源から入射する光線の長軸方向には一致していない。光ピックアップの周りの温度が上昇すると、ビーム整形素子２を保持する光学基台やレンズホルダ９が熱膨張して、レーザ光源１からの光軸に対して、ビーム整形素子２の位置ずれが生じる。
【００８７】
ここでは、温度上昇によって、＋ｙ方向にのみ位置がずれた場合について考える。図５（ａ）に示すように、温度上昇前には、ビーム整形素子２はシリンドリカル面の中央、すなわち光線の長軸方向がシリンドリカル面の母線に対して対称となるように入射しているが、温度が上昇してビーム整形素子２が＋ｙ方向にずれると、光線の長軸方向がシリンドリカル面の母線に対してずれた位置に入射するようになってしまう。つまり、シリンドリカル面の母線に対して、光線の入射する位置が長軸方向にずれてしまう。
【００８８】
これに対して、図５（ｂ）に示す本実施の形態２の構成の光ピックアップの場合には、ビーム整形素子２が固定される位置を、レーザ光源１から入射する光線の長軸方向に垂直となる位置としているので、温度が上昇してビーム整形素子２が＋ｙ方向にずれた場合に光線がビーム整形素子２に入射する位置は、光線の長軸方向に直角な方向（図５（ｂ）のｙ軸方向）には移動するが、長軸方向（図５（ｂ）のｘ軸方向）へのずれは生じない。
【００８９】
このように、従来の構成の光ピックアップでは、ビーム整形素子２のｙ軸方向へのずれによって光線の入射位置の長軸方向へのずれも発生するのに対し、本実施の形態２の構成の光ピックアップでは、ｙ軸方向へのずれによっては光線の入射位置の長軸方向へのずれは発生しないので、従来よりもビーム整形素子２の長軸方向へのずれを抑制できる。
【００９０】
又、本実施の形態２において、面に塗布された接着剤でビーム整形素子２をレンズホルダ９に固定する場合、接着剤はビーム整形素子２の母線に略左右対称となるように塗布されていれば、実質上の固定点は２ｈ上にあることと等価となり、本実施の形態２で示す効果が同様に得られる。
【００９１】
又、図４（ａ）では、レンズホルダ９を２ｈを中心として対称な直方体としているが、このようにレンズホルダ９を２ｈを中心として対称な形状とするのが、より好ましい。又、図４（ａ）において、レンズホルダ９の側面全体で、光学基台に設けられたホルダに固定されていると、より好ましい。
【００９２】
又、本実施の形態２において、レンズホルダ９は光学基台に対し一体成形されたものであってもよく、同様に本実施の形態２の効果は得られるものである。
【００９３】
なお、本実施の形態２において、面２Ｓと光ディスク７の記録面が略垂直になるように構成されていると、実施の形態１と同様の効果を得ることも出来る。
【００９４】
以上に説明したように、本実施の形態２の光ピックアップを用いることにより、温度変化に対して光軸方向である±ｚ方向（以降単にｚ方向と呼ぶ）に起因する非点収差発生量だけでなく、光軸直交方向のずれを抑制し、光軸傾きや遠視野像における光の強度分布中心ずれを十分抑制した保持・固定構造を提供することができる。
【００９５】
（実施の形態３）
図６は、本発明の実施の形態３における光ピックアップの構成のうち、光源部分の構造を示す線図的説明図である。図６において、図１又は図４と同じ構成については同じ符号を用い説明を省略する。
【００９６】
図６において、１１は光源あおりホルダ、１２は光軸調整ホルダを示す。レーザ光源１は、光源あおりホルダ１１に接着やかしめ等の方法で固定されている。更に、１３は光源あおりホルダ１１に取付けられ、ビーム整形素子２を搭載させることの出来る載置板である。ここで、光源あおりホルダ１１は光軸調整ホルダ１２に接触していて、略発光点中心で回転できる。
【００９７】
このような構成とすることにより、レーザ光源１が製作上の発光角の傾きを持っている場合、すなわち、レーザ光源１から実際に出射される光の光軸が、理想の光軸から所定角傾いている場合、光源あおりホルダ１１を光軸調整ホルダ１２に対し図中ｘ軸周り（θｘ）、及びｙ軸回り（θｙ）にあおり調整することができるため、光源あおりホルダ１１ごと発光角を所望の角度に調整することができる。光軸調整ホルダ１２は光学基台（図示省略）に対し接触しており、上下左右に自由に摺動することで光ピックアップの組み立て時に光軸調整を行うことができる構造である。
【００９８】
ここで、ビーム整形素子２は、光源あおりホルダ１１に取付けられた載置板１３に外形が接触するように配置されている。
【００９９】
図７に、製作上の傾きを補正の必要がある光源の傾きと、このビーム整形素子２の取付け傾きの関係を示す。図７（ａ）はｘｚ平面の正面図を示し、図７（ｂ）はｙｚ平面の断面図を示している。
【０１００】
図７（ａ）に一例として示すように、レーザ光源１の製作上の傾き補正のため、光源あおりホルダ１１が設計上の理想の光軸Ｏからθｙだけ傾いていたとしても、ビーム整形素子２をその光学的な中心線２ｚと、レーザ光源１の傾き補正後の光軸１ｚとが平行に重なるように配置することができる。
【０１０１】
又、図７（ｂ）に示すように、ビーム整形素子２はその入射面と出射面の母線方向が、光源あおりホルダ１１に取付けられた載置板１３とビーム整形素子２が接触する接触面と略垂直に交わるように配置されている。
【０１０２】
このような構成とすることで、例えばビーム整形素子２を有する光ピックアップの環境温度が変化したとしても、ホルダ部材の熱膨張によるビーム整形素子２の移動はｙ′とｚ′の方向に限られ、レンズ作用のあるｘ方向には、ずれを生じない。なお、ビーム整形素子２と載置板１３の接触部は面としたが、複数の点や線で接触していても、その接触点や線を含む面が、前述の接触面と略平行であれば、同様の効果を得られる。
【０１０３】
ここで、図８〜図１６に、ビーム整形素子２及び載置板１３の他の例を示す。
【０１０４】
図８（ａ）（ｂ）（ｃ）に示す例は載置板のｙｘ平面における断面をＶ溝として、稜線１３ａ上にビーム整形素子２を載置し、線接触させたものである。ただし、（ａ）はｚｘ平面から見た平面図、（ｂ）はｙｘ平面から見た正面図、（ｃ）はｙｚ平面から見た側面図であって、この対応は図８〜図１６で共通である。
【０１０５】
又、図９（ａ）（ｂ）（ｃ）に示す例は、載置板１３のｙｘ平面における断面をＶ溝とし、さらにＶ溝の斜面上に設けた凸部１３ｂ上にビーム整形素子２を載置し、点接触としたものである。
【０１０６】
又、図１０（ａ）（ｂ）（ｃ）に示す例は、載置板１３のｙｘ平面における断面をＶ溝とし、さらにＶ溝の斜面上に設けた凸線１３ｃ上にビーム整形素子２を載置し、線接触させたものである。
【０１０７】
又、図１１（ａ）（ｂ）（ｃ）に示す例は、載置板１３の側面に側壁１３ｄを設け、ビーム整形素子２を載置板１３及び側壁１３ｄに、それぞれ稜線１３ｅでｘ、ｙ両方向から線接触させたものである。特にこの場合ｘ、ｙ方向の位置ずれを抑制できる。
【０１０８】
又、図１２（ａ）（ｂ）（ｃ）に示す例は、載置板１３の側面に側壁１３ｄを設け、さらに載置板１３及び側壁１３ｄに、それぞれ凸部１３ｆを設けることにより、ビーム整形素子２をｘ、ｙ両方向から点接触としたものである。
【０１０９】
又、図１３（ａ）（ｂ）（ｃ）に示す例は、図１２に示す構成例において、凸部１３ｆの代わりに凸線１３ｇを備えることにより、ビーム整形素子２をｘ、ｙ両方向から線接触させたものである。
【０１１０】
又、図１４（ａ）（ｂ）（ｃ）に示す例は、ビーム整形素子２を、底面が平面であるビーム整形素子２″に置き換え、側壁１３ｄを有する載置板１３の側面に載置することにより、ビーム整形素子２″を接触面１３ｈで面接触し、側壁１３ｄにて稜線１３ｉで線接触させたものである。
【０１１１】
又、図１５（ａ）（ｂ）（ｃ）に示す例は、図１４に示す構成例において、側壁１３ｄに凸部１３ｆを備えた構成とすることにより、ビーム整形素子２″を接触面１３ｈで面接触し、凸部１３ｆで点接触させたものである。
【０１１２】
又、図１６（ａ）（ｂ）（ｃ）に示す例は、図１４に示す構成例において、側壁１３ｄに凸線１３ｇを備えた構成とすることにより、ビーム整形素子２″を接触面１３ｈで面接触し、凸線１３ｇで線接触させたものである。
【０１１３】
以上の構成においても、Ｖ溝、側壁１３ｄ、凸部１３ｂ、１３ｆ、凸線１３ｇ等の配置は接触面と略平行であり、図６、７に示す構成例と同様の効果が得られる。
【０１１４】
又、上記図８〜図１６の構成は、実施の形態１及び２の光ピックアップにおいて実施しても良い。
【０１１５】
ここで補足を行うと、レーザ光源１の製作上の傾き補正のため、光源あおりホルダ１１がθｘに傾くと、同時に光源あおりホルダ１１に取付けられた載置板１３上に配置されたビーム整形素子２も同じ角度傾くことになる。このｙｚ平面から見た場合、ビーム整形素子２はレンズ作用のない、一定の厚みを持った平板として作用するが、レーザ光源１からの出射光は発散光であるため、この発散光中で平板を傾けると、非点収差を発生してしまう。
【０１１６】
しかし、ビーム整形素子２は発光点との距離が設計値からずれると、非点収差を発生することを利用し、ビーム整形素子２が傾いた事に起因する非点収差は、ビーム整形素子２のｚ方向の移動で補正することが出来る。そして、このビーム整形素子２を固定後は、温度が変化したとしても、ホルダ部材の熱膨張によるビーム整形素子２の移動はｙ′とｚ′の方向に限られ、レンズ作用のあるｘ方向には、ずれを生じない。ｙ′にずれると言うことは更にｚ方向への移動も伴うが、一般的にθｘは１〜２°と小さいため、このときのｚ方向への位置ずれはごく微量なものであり、問題を起こしにくい。
【０１１７】
ここで、ビーム整形素子２の外形は、載置板１３上に安定に自立させるために、載置板１３と面で接触するための平面を持っていると、なおよい。もちろん、このビーム整形素子２の外形が持つ平面は、構造上ビーム整形素子２の入出射面の母線と垂直である。さらにこのビーム整形素子２の外形が持つ平面は、ビーム整形素子２の例えば調整時の回転規正を兼ねることも可能である。
【０１１８】
なお、ビーム整形素子２は光学収差を発生させないために、母線２ｉｍと２ｏｍが平行であることが一般的であるが、仮に母線２ｉｍと２ｏｍが平行で無い場合は、入射面２ｉか出射面２ｏのいずれか、特にビーム整形のレンズ作用に大きく作用しているいずれか一方側の面の母線が、光源あおりホルダ１１に取付けられた載置板１３とビーム整形素子２が接触する接触部を含む面と略垂直に交わるような構成であってもよく、この場合でも同様に温度変化に対し、前述の光ピックアップの光学的性能劣化を抑制する効果がある。
【０１１９】
なお、載置板１３は、光源あおりホルダ１１と一体成形された物であっても、別部材で構成して光源あおりホルダ１１に固定されてあっても、同様の効果を得られる。
【０１２０】
又、ビーム整形素子２は温度変化時の光源あおりホルダ１１や載置板１３の膨張・収縮に伴うｚ方向への移動を最小限に抑制するため、ビーム整形素子２は発光点にｚ方向の距離が可能な限り小さい位置で、光源あおりホルダ１１又は載置板１３に接着剤などで固定されていることが望ましい。
【０１２１】
又、本実施の形態３において、ビーム整形素子２の光源あおりホルダ１１又は載置板１３への固定位置は、ビーム整形素子２の光学的中心線を含み、光源あおりホルダ１１に取付けられた載置板１３とビーム整形素子２が接触する接触部を含む面と略垂直に交わる線上であると、より本実施の形態３の効果を高められるものである。このとき、固定位置が接着剤などの面である場合は、その接着面がビーム整形素子２の母線に対し左右対称であると、なお効果が高い。
【０１２２】
なお、本実施の形態３において、ビーム整形素子２の母線方向は、ビーム整形素子２と載置板１３の接触部を全て含む面と垂直としたが、実質的にはその成す角が９０°からθｚずれていたとしても、例えば温度変化時の光学基台やホルダ部材の膨張によるｘ方向の成分はｓｉｎθｚ程度の影響であるため、θｚが数度であれば影響は小さく無視できる。
【０１２３】
又、本実施の形態３において、載置板１３が取付けられた光源あおりホルダ１１は、レーザ光源１の発光点近傍を中心にあおり調整をおこなうため、そのあおりの動作に伴う、載置板１３や載置板１３上のビーム整形素子２の移動範囲を考慮しなければならない。そこで、光学基台上にあおり調整時の載置板１３や載置板１３上のビーム整形素子２の移動範囲を避けるように、凹部か、貫通した孔を設けておくとよい。
【０１２４】
又、本実施の形態３において、図７（ｂ）におけるθｘが０の場合、ビーム整形素子２の母線２ｉｍや２ｏｍが光ディスク７の記録面と略垂直になるよう構成されていれば、実施の形態１が示す構成と同様の効果も得られるものであり、θｘが０で無い場合は、ビーム整形素子２の母線２ｉｍや２ｏｍと光ディスク７の記録面との成す角が略９０°±θｘであれば又、実施の形態１で示す構成と同様の効果も得られるものである。
【０１２５】
（実施の形態４）
図１７は、本発明の実施の形態４における光ピックアップの構成のうち、光源近傍部分の構造を示す説明図である。図１７において、図１から図７と同じ構成については同じ符号を用い説明を省略する。図１７（ａ）は斜視図を、図１７（ｂ）は図１７（ａ）のｘｙ平面の正面図をそれぞれ示している。
【０１２６】
図１７（ａ）及び（ｂ）において、２１はビーム整形素子ホルダ、２２はビーム整形素子保持ばね、２３はビーム整形素子カバー、２３ａは調整ノブを示す。ビーム整形素子カバー２３はビーム整形素子２の側面及び上面を覆うように設けられた樹脂製、又は金属性の部材で、その上部には光ピックアップ組立時の調整用の調整ノブ２３ａが取付けられている。
【０１２７】
また、ビーム整形素子ホルダ２１は、ビーム整形素子カバー２３が取り付けられた状態のビーム整形素子２を配置するように設けられた樹脂製、又は金属性の部材で、図１７（ｂ）に示す右側面においてビーム整形素子カバー２３の右外壁を覆う形状を有している。
【０１２８】
ビーム整形素子保持ばね２２は、載置部１３からビーム整形素子ホルダ２１の右側面に回り込んで、ビーム整形素子カバー２３の上面に渡って形成されており、ビーム整形素子２に向かう弾性力を生じさせる。これにより、ビーム整形素子２はビーム整形素子カバー２３ごとビーム整形素子ホルダ２１に圧接される。
【０１２９】
ビーム整形素子カバー２３はビーム整形素子２の天井部と接合面２１４で接着固定されている。
【０１３０】
又、ビーム整形素子カバー２３の右側面とビーム整形素子ホルダ２１の右側の内壁とは、接触部２１２として面接触している。
【０１３１】
又、ビーム整形素子ホルダ２１の左側の内壁とビーム整形素子２とは、稜線２１１で線接触している。
【０１３２】
又、ビーム整形素子保持ばね２２とビーム整形素子カバー２３とは、稜線２１５で線接触している。
【０１３３】
更に、接触部２１２を形成する接触面、稜線２１１及び稜線２１５は、互いに図中ｚ方向、すなわちビーム整形素子２の光軸に、平行な向きに伸びて形成されている。
【０１３４】
又、ビーム整形素子保持ばね２２の上面にはスリット２２ａが開口されており、ビーム整形素子カバー２３の調整ノブ２３ａは、スリット２２ａを通じて外部に露出している。これにより、光ピックアップの調整者は、調整ノブ２３ａを把持して、ビーム整形素子カバー２３ごとビーム整形素子２をビーム整形素子ホルダ２１内で動かすことができる。
【０１３５】
以上の構成において、ビーム整形素子カバー２３は、本発明の第１の外殻部の一例にあたる。又、ビーム整形素子ホルダ２１及びビーム整形素子保持ばね２２は、本発明の第２の外殻部の一例にあたる。又、スリット２２ａは本発明の空隙の一例にあたる。又、調整ノブ２３ａは本発明のつまみ部の一例にあたる。ビーム整形素子２、ビーム整形素子ホルダ２１、ビーム整形素子保持ばね２２及びビーム整形素子カバー２３は、本発明の光学素子の一例にあたる。
【０１３６】
前述の実施の形態３で述べているように、ビーム整形素子２は図中ｚ方向、すなわち光軸方向に調整を行うことが一般的である。本実施の形態４の構造は、小型な部品でビーム整形素子２の調整と、安定な保持構造を実現させるものである。
【０１３７】
以下、説明を行う。上述のように、ビーム整形素子２は、ビーム整形素子保持ばね２２からの弾性力を受けてビーム整形素子カバー２３内に固定されている。調整者はビーム整形素子カバー２３の調整ノブ２３ａを操作することによってビーム整形素子２を移動させることができるが、ビーム整形素子２は、図中ｚ軸に沿って互いに平行な接触部２１２、稜線２１１及び稜線２１５によって固定されている。
【０１３８】
したがってビーム整形素子２が移動範囲は接触部２１２、稜線２１１及び稜線２１５の延伸方向、すなわち図中ｚ方向のみに限られ、これと直交するｘ−ｙ平面上の移動は規制される。
【０１３９】
このように、その光軸方向のみにビーム整形素子２が移動可能な光学素子を構成し、これを実施の形態３の光ピックアップの載置板１３に備えることで、レーザ光の光軸の、図中ｘ−ｙ方向の調整と、図中ｚ方向との調整とを独立して行うことができる。
【０１４０】
この場合、あらかじめ光源あおりホルダ１１に対しビーム整形素子ホルダ２１をθｙの傾きなく容易にｘ方向の調整を行い、光源あおりホルダ１１とビーム整形素子ホルダ２１を固定することが可能であり、ビーム整形素子２のｘ方向調整と、ｚ方向調整を独立した工程で行うことを可能とした。
【０１４１】
これは、特に、光ピックアップとして実施の形態１の構成に用いた場合、以下の点で好適である。すなわち、実施の形態１にて説明したように、光ピックアップにおいてＲＩＭ強度を高める場合には、ビーム整形素子２による光ビームの断面形状の整形、及びビームスプリッタ３及び立ち上げミラー５等の集光系による光軸の回転が必要となるが、これらの調整の際し、レーザ光源１から出射されるレーザ光の光軸の集光系に対する位置あわせが重要である。
【０１４２】
この位置あわせにおいて、図中ｘ方向における調整は、光ディスク７に入射する光ビームの出射光軸を曲げないためのものであり、図中ｚ方向における調整は、実施の形態３でも述べたように、ビーム整形素子２によるビーム整形に伴い生ずる球面収差を集光系にてキャンセルするために必須となる。
【０１４３】
しかしながら、これら両軸方向の調整を同時に行うことは非常に困難である。
【０１４４】
本実施の形態４の光ピックアップによれば、実施の形態３の構成を利用して先に光源あおりホルダ１１の回動操作によってｘ方向の調整を行った後に、ビーム整形素子カバー２３の摺動操作によってｚ方向の調整を行うことができるため、レーザ光の光軸の集光系に対する位置あわせが容易となる。したがって、ＲＩＭ強度を高めた本実施の形態１の光ピックアップを、容易に作成することが可能となる。又、光ピックアップの組立、調整工程の自由度を高められるといった大きな効果を持つ。
【０１４５】
次に、本実施の形態の他の特徴を説明する。
【０１４６】
一般的にビーム整形素子２はガラスや樹脂で成形された部品であるが、上述のようにビーム整形素子ホルダ２１は樹脂製、又は金属性の部材が用いられる。ビーム整形素子保持ばね２２も同様である。そこで、ビーム整形素子２がこれら部材と接触して摺動すると、ビーム整形素子２自体を傷つけることも考えられる。
【０１４７】
そこで、本実施の形態４の構成では、ビーム整形素子２の外壁の一部をビーム整形素子カバー２３で覆い、ビーム整形素子ホルダ２１又はビーム整形素子保持ばね２２とビーム整形素子カバー２３との間で摺動が生ずるようにしている。ビーム整形素子２とビーム整形素子ホルダ２１とが直接接触により摺動するのは稜線２１１であるが、これは線接触なので、前述の傷の発生を十分許容範囲内としている。又これはビーム整形素子カバー２３の小型・簡素化を可能とする。
【０１４８】
なお、ビーム整形素子ホルダ２１は、稜線２１１によってビーム整形素子２と線接触の代わりに、点接触するような構成としてもよい。この場合、実施の形態３の図９、図１２等で示した凸部１３ｂと同様の凸部を、ビーム整形素子２との接触部分に設けるようにすればよい。また、図１０の凸線の１３ｃの構成を利用した線接触としてもよい。
【０１４９】
又、調整ノブ２３ａを外部に露出させていることで、ビーム整形素子保持ばね２２の弾性力に抗してｚ方向への再調整も容易となっている。
【０１５０】
又、本実施の形態においては、ビーム整形素子２は、ビーム整形素子２の母線２ｉｍ、２ｏｍが、光源あおりホルダ１１に取付けられた載置板１３とビーム整形素子２を保持するビーム整形素子ホルダ２１が接触する接触面２１３と、略垂直に交わるような構成となっている。
【０１５１】
このような構成とすることで、実施の形態２と同様、温度変化時の載置板１３の膨張・収縮によるビーム整形素子２のｘ方向への位置ずれは最小限に抑えられ、光ピックアップの光学性能劣化を起こしにくい構造とすることができる。なお、ビーム整形素子ホルダ２１と載置板１３の接触面２１３は面としたが、複数の点や線で接触していても、その接触点や線を含む面が、前述の接触面２１３と略平行であれば、同様の効果を得られる。
【０１５２】
なお、本実施の形態４のビーム整形素子ホルダ２１の構造において、図１７ではビーム整形素子２との各接触部、稜線は、図１７（ｂ）に示すように、ビーム整形素子２の母線２ｉｍ、２ｏｍに対して左右非対称な構成としたが、各接触部、稜線は、ビーム整形素子２の母線に対して左右対称となるよう構成してもよい。この場合、構造的には、光ピックアップ内部の温度変化時にビーム整形素子２がｘ方向に全く動かない構造とすることが出来、なおよい。要するに、各接触部、稜線としての本発明の接触部は、ビーム整形素子をその光軸方向に直交する方向に移動しないよう規制できるものであれば、その配置、具体的な構成によって限定されるものではない。
【０１５３】
又、ビーム整形素子２は光学収差を発生させないために、母線２ｉｍと２ｏｍが平行であることが一般的であるが、仮に２ｉｍと２ｏｍが平行で無い場合は、入射面２ｉか出射面２ｏのいずれか、特にビーム整形のレンズ作用に大きく作用しているいずれか一方側の面の母線が、光源あおりホルダ１１に取付けられた載置板１３とビーム整形素子２を保持するビーム整形素子ホルダ２１が接触する接触面２１３を含む面と、略垂直に交わるような構成であってもよく、この場合でも同様に、温度変化に対し前述の光ピックアップの光学的性能劣化を抑制する効果がある。
【０１５４】
なお、本実施の形態４において、光源に青色半導体レーザを用いる場合には、ビーム整形素子２は、温度に対する安定性、経時的な耐久性などの観点からガラスであることが望ましい。
【０１５５】
又、本実施の形態４において、大量生産とコスト、製品の信頼性向上の多様な観点から、光源あおりホルダ１１及び光軸調整ホルダ１２は、亜鉛やアルミニウムといった金属材料で構成されていることが望ましい。
【０１５６】
又、本実施の形態４において、光源あおりホルダ１１等と同様の理由で、ビーム整形素子ホルダ２１及びビーム整形素子カバー２３も、亜鉛やアルミニウムといった金属材料であることが望ましく、このビーム整形素子ホルダ２１上でビーム整形素子２をスムーズに摺動させるために、表面に塗装等を施して潤滑性を高めることが望ましい。
【０１５７】
このとき、潤滑塗装は、全面に施してもよいが、少なくとも、ビーム整形素子ホルダ２１とビーム整形素子２との接触部分である稜線２１１を含む面、及びビーム整形素子ホルダ２１とビーム整形素子カバー２３とが接触する接触部２１２に対応する各面に行うことが望ましい。
【０１５８】
又、ビーム整形素子ホルダ２１と載置板１３を接着固定する場合には、その接着性を損なわないために、潤滑塗装は、このとき、ビーム整形素子ホルダ２１にいて載置板１３の表面及びその近傍は、ビーム整形素子２及ビーム整形素子カバー２３と対向しない側の面である、載置板１３との接触面２１３近傍の接着剤塗布部には施されていないことが望ましい。
【０１５９】
又、本実施の形態４において、ビーム整形素子保持ばね２２は、ビーム整形素子２をビーム整形素子ホルダ２１に常に一定の圧力で押しつけるために、弾性をもった薄いアルミ、ステンレス、銅等の金属で構成されていることが望ましい。
【０１６０】
又、本実施の形態４において、調整ノブ２３ａは、ビーム整形素子カバー２３と一体的な部材であるとして説明を行ったが、別部材であってもよい。このとき、小型化の観点や、ビーム整形素子２とビーム整形素子ホルダ２１間に摩擦のために挿入されるといった観点から、ビーム整形素子カバー２３と同種又は異種の薄い金属材料で構成されていると、その形状を形成しやすく有利である。
【０１６１】
又、本実施の形態４において、ビーム整形素子保持ばね２２は、更に光源あおりホルダ１１に取付けられた載置板１３も同時に保持する構造とした。これは組立時の作業性や、構造の安定性を更に高めることが出来、なおよい。ただし、ビーム整形素子保持ばね２２はビーム整形素子ホルダ２１及びビーム整形素子カバー２３のみを保持するような構成であってもよい。
【０１６２】
又、本実施の形態４において、ビーム整形素子ホルダ２１と、光源あおりホルダ１１に取付けられた載置板１３は、ビーム整形素子２のｘ方向の調整を行う際に接着剤によって固定すると、より構造を安定化できるので、なおよい。又、光源あおりホルダ１１と載置板１３は一体成形されたものであってもよく、このような構造にすると光源あおりホルダ１１と載置板１３の相対位置が安定になるため、さらに温度変化に対する安定性を高められる。
【０１６３】
又、本実施の形態４において、ビーム整形素子２の光源あおりホルダ１１又は載置板１３への固定位置は、ビーム整形素子２の光学的中心線を含み、光源あおりホルダ１１に取付けられた載置板１３と、ビーム整形素子２を保持するビーム整形素子ホルダ２１が接触する接触部を含む面と略垂直に交わる面が、ビーム整形素子２の外形と交わる線上であると、なお効果を高められるものである。このとき、固定位置が接着剤などの面である場合は、その接着面がビーム整形素子２の母線に対し左右対称であると、なお効果が高い。
【０１６４】
又、この接着位置に関しては、実施の形態２と同様、ビーム整形素子２は温度変化時の光源あおりホルダ１１や載置板１３の膨張・収縮に伴うｚ方向への移動を最小限に抑制するため、ビーム整形素子２は発光点にｚ方向の距離が可能な限り小さい位置で、光源あおりホルダ１１又は載置板１３に接着剤などで固定されていることが望ましい。
【０１６５】
ここで、本実施の形態４においては、ビーム整形素子２と載置板１３の間に、ビーム整形素子ホルダ２１が存在しているため、ビーム整形素子２と載置板１３を直接接着剤で固定することが容易ではない。そこで、光源あおりホルダ１１とビーム整形素子２を接着剤で固定するために、光源あおりホルダ１１上にビーム整形素子２との固定接着剤塗布用の延長部材２５が取付けられている。
【０１６６】
ビーム整形素子２をこの延長部材２５に接着固定することで、光源とビーム整形素子２の間に存在する部材は、光源あおりホルダ１１と、延長部材２５と、お互いを固定する接着剤のみとなり、より温度変化時のホルダの膨張の影響が、ｚ方向にも小さく安定化させることが出来る。さらに、光源あおりホルダ１１と延長部材２５を一体成形することで、より一層ｚ方向の温度変化時の安定性を高めることが出来る効果もある。
【０１６７】
なお、本実施の形態４において、ビーム整形素子２の母線方向は、ビーム整形素子ホルダ２１と載置板１３の接触部を全て含む面と垂直としたが、実質的にはその成す角が９０°からθｚずれていたとしても、例えば温度変化時の光学基台やホルダ部材の膨張によるｘ方向の成分はｓｉｎθｚ程度の影響であるため、θｚが数度であれば影響は小さく無視できる。
【０１６８】
又、本実施の形態４において、実施の形態３の図７（ｂ）に示すような光源あおりホルダ１１の傾きθｘがある場合、このθｘが０であり、ビーム整形素子２の母線２ｉｍや２ｏｍが光ディスク７の記録面と略垂直になるよう構成されていれば、実施の形態１が示す構成と同様の効果も得られるものである。又、θｘが０で無い場合も、ビーム整形素子２の母線２ｉｍや２ｏｍと光ディスク７の記録面との成す角が略９０°±θｘであれば、実施の形態１で示す構成と同様の効果も得られるものである。
【０１６９】
又、本実施の形態４において、載置板１３が取付けられた光源あおりホルダ１１が、光源の発光点近傍を中心にあおり調整をおこなうため、そのあおりの動作に伴う、載置板１３や載置板１３上のビーム整形素子ホルダ２１の移動範囲を考慮しなければならない。そこで、あおり調整時の載置板１３や載置板１３上のビーム整形素子ホルダ２１の移動範囲を避けるように、光学基台上に、凹部か貫通した孔を設けておくとよい。ここで光学基台とは、図１、図３に示す集光系を構成する各光学部品を配置するための部材を指す。
【０１７０】
（実施の形態５）
さらに、本発明の光ピックアップを用いた、本発明の実施の形態５の光情報装置について説明する。
【０１７１】
図１８は、本実施の形態５の光情報装置の一例としての光ディスクドライブ１０７の全体構成図を示している。
【０１７２】
光ディスク１０１は、ターンテーブル１０２とクランパー１０３で挟んで固定されており、モータ（回転系）１０４によって回転させられる。実施の形態１から実施の形態４のいずれかに記載した本発明の光ピックアップを有する光ヘッド１００は、トラバース（移送系）１０５上に乗っており、照射する光が光ディスク１０１の内周から外周まで移動できるようにしている。制御回路１０６は、光ヘッド１００から受けた信号をもとにフォーカス制御、トラッキング制御、トラバース制御、モータの回転制御等を行う。又、制御回路１０６は、再生信号から情報の再生や、記録信号の光ヘッド１００への送出も行う。
【０１７３】
なお、制御回路１０６が、本発明の電器回路の一例にあたる。
【０１７４】
（実施の形態６）
図１９に、実施の形態５に記した本発明の光ディスクドライブ（光情報記録再生装置）を具備した、本発明の実施の形態６のコンピュータの概略斜視図を示す。
【０１７５】
図１９において、パソコン（コンピュータ）１１０は、実施の形態５の光ディスクドライブ１０７と、情報の入力を行うためのキーボード１１３と、情報の表示を行うためのモニター１１２とを備える。又、コンピュータ１１０は、キーボード１１３から入力された情報及び光ディスクドライブ１０７から再生された情報に基づいて演算を行う演算装置を備えている。
【０１７６】
なお、キーボード１１３が、本発明の入力装置又は入力端子の一例にあたり、モニター１１２が、本発明の出力装置又は出力端子の一例にあたる。
【０１７７】
上述の実施の形態５の光ディスクドライブ１０７を外部記憶装置として具備した本実施の形態６のコンピュータ１１０は、異なる種類の光ディスクに情報を安定に記録あるいは再生でき、広い用途に使用できるという効果を有するものとなる。
【０１７８】
光ディスクドライブ１０７はその大容量性を生かして、コンピュータ１１０内のハードディスクのバックアップをとったり、メディア（光ディスク）が安価で携帯が容易であること、他の光ディスクドライブでも情報が読み出せるという互換性があることを生かして、プログラムやデータを人と交換したり、自分用に持ち歩いたりすることができる。又、ＤＶＤやＣＤ等の既存のメディアの再生／記録にも対応できる。
【０１７９】
（実施の形態７）
図２０に、実施の形態５に記した本発明の光ディスクドライブ（光情報記録再生装置）を具備した、本発明の実施の形態７の光ディスクレコーダー（映像記録再生装置）の概略斜視図を示す。
【０１８０】
図２０において、本実施の形態７の光ディスクレコーダー１２０は、実施の形態５の光ディスクドライブ１０７（図示せず）を内蔵しており、記録している映像の表示を行うためのモニター１２１と接続されて使用される。又、光ディスクレコーダー１２０は、画像
情報を光ディスクドライブ１０７によって記録する情報に変換する、画像から情報へのエンコーダーを備えている。
【０１８１】
なお、光ディスクレコーダー１２０が、本発明の光情報媒体レコーダの一例にあたる。
【０１８２】
上述の実施の形態５の光ディスクドライブ１０７を具備した、光ディスクレコーダー１２０は、異なる種類の光ディスクに映像を安定に記録あるいは再生でき、広い用途に使用できるという効果を有するものとなる。
【０１８３】
光ディスクレコーダー１２０は、メディア（光ディスク）に映像を記録し、好きな時にそれを再生することができる。光ディスクレコーダー１２０では、テープのように記録後や再生後に巻き戻しの作業が必要なく、ある番組を記録しながらその番組の先頭部分を再生する追っかけ再生や、ある番組を記録しながら以前に記録した番組を再生する同時記録再生が可能となる。メディアが安価で携帯が容易であること、他の光ディスクレコーダーでも情報が読み出せるという互換性があることを生かして、記録した映像を人と交換したり、自分用に持ち歩いたりすることができる。またＤＶＤやＣＤ等の既存のメディアの再生／記録にも対応する。
【０１８４】
なお、ここでは、光ディスクレコーダー１２０が光ディスクドライブ１０７だけを備える場合について説明したが、ハードディスクを内蔵していても良いし、ビデオテープの録画再生機能を内蔵していても良い。その場合、映像の一時退避や、バックアップが容易にできる。
【０１８５】
（実施の形態８）
図２１に、実施の形態５に記した本発明の光ディスクドライブ（光情報記録再生装置）を具備した、本発明の実施の形態８の光ディスクプレーヤー（映像再生装置）の概略斜視図を示す。
【０１８６】
図２１において、液晶モニター１３０を備えた本実施の形態８の光ディスクプレーヤー１３１は、実施の形態５の光ディスクドライブ１０７（図示せず）を内蔵しており、光ディスクに記録された映像を液晶モニター１３０に表示することができる。又、光ディスクプレーヤー１３１は、光ディスクドライブ１０７から得られる情報信号を画像に変換する、情報から画像へのデコーダーを備えている。なお、光ディスクプレーヤー１３１が、本発明の光情報媒体プレーヤの一例にあたる。
【０１８７】
上述の実施の形態５の光ディスクドライブ１０７を具備した光ディスクプレーヤー１３１は、異なる種類の光ディスクの映像を安定に再生でき、広い用途に使用できるという効果を有するものとなる。
【０１８８】
光ディスクプレーヤー１３１は、メディア（光ディスク）に記録された映像を好きな時に再生することができる。光ディスクプレーヤー１３１では、テープのように再生後に巻き戻しの作業が必要なく、ある映像の任意の場所にアクセスして再生することができる。またＤＶＤやＣＤ等の既存のメディアの再生にも対応する。
【０１８９】
（実施の形態９）
図２２に、実施の形態５に記した本発明の光ディスクドライブ（光情報記録再生装置）を具備した、本発明の実施の形態９のサーバーの概略斜視図を示す。
【０１９０】
図２２において、本実施の形態９のサーバー１４０は、実施の形態５の光ディスクドライブ１０７と、情報の表示を行うためのモニター１４２と、情報の入力を行うためのキーボード１４３とを備え、ネットワーク１４４に接続されている。
【０１９１】
なお、サーバー１４０が、本発明の光ディスクサーバの一例にあたる。又、サーバー１４０のネットワーク１４４に接続されている端子が、本発明の、外部との情報のやりとりを行う入出力端子の一例にあたる。
【０１９２】
上述の実施の形態５の光ディスクドライブ１０７を外部記憶装置として具備したサーバー１４０は、異なる種類の光ディスクに情報を安定に記録あるいは再生でき、広い用途に使用できるという効果を有するものとなる。
【０１９３】
光ディスクドライブ１０７は、その大容量性を生かして、ネットワーク１４４からの要求に応じ、光ディスクに記録されている情報（画像、音声、映像、ＨＴＭＬ文書、テキスト文書等）を送出する。又、ネットワーク１４４から送られてくる情報をその要求された場所に記録する。又、ＤＶＤやＣＤ等の既存のメディアに記録された情報も再生が可能であるので、それらの情報を送出することも可能となる。
【０１９４】
（実施の形態１０）
図２３に、実施の形態５に記した本発明の光ディスクドライブ（光情報記録再生装置）を具備した、本発明の実施の形態１０のカーナビゲーションシステムの概略構成図を示す。
【０１９５】
図２３において、本実施の形態１０のカーナビゲーションシステム１５０は、実施の形態５光ディスクドライブ１０７（図示せず）を内蔵しており、地形や行き先情報の表示を行うための液晶モニター１５１と接続されて使用される。又、カーナビゲーションシステム１５０は、光ディスクドライブ１０７から得られる情報信号を画像に変換する、情報から画像へのデコーダーを備えている。
【０１９６】
上述の実施の形態５の光ディスクドライブ１０７を具備したカーナビゲーションシステム１５０は、異なる種類の光ディスクに映像を安定に記録あるいは再生でき、広い用途に使用できるという効果を有するものとなる。
【０１９７】
カーナビゲーションシステム１５０は、メディア（光ディスク）に記録された地図情報と、地上位置確定システム（ＧＰＳ）や、ジャイロスコープ、速度計、走行距離計等の情報を元に、現在位置を割り出し、その位置を液晶モニター１５１上に表示する。また行き先を入力すると、地図情報や道路情報を元に行き先までの最適な経路を割り出し、それを液晶モニター１５１に表示する。
【０１９８】
地図情報を記録するために大容量の光ディスクを用いることで、一枚のディスクで広い地域をカバーして細かい道路情報を提供することができる。又、その道路近辺に付随する、レストランやコンビニエンスストア、ガソリンスタンドなどの情報も同時に光ディスクに格納して提供することができる。さらに、道路情報は時間がたつと古くなり、現実と合わなくなるが、光ディスクは互換性がありメディアが安価であるため、新しい道路情報を収めたディスクと交換することで最新の情報を得ることができる。またＤＶＤやＣＤ等の既存のメディアの再生／記録にも対応するため、自動車の中で映画を見たり音楽を聴いたりすることも可能である。
【０１９９】
以上に説明したように、本発明の光ピックアップを用いると、光の利用効率が向上して高倍速記録や２層ディスク等に対応できるという有利な効果が得られると同時に、光ピックアップの温度や環境変化に対する性能が向上するという効果が得られる。
【０２００】
本発明の光ピックアップは、光ディスクを利用するコンピュータからＡＶ機器まで、幅広い産業分野で利用することができ、その産業上の利用可能性は非常に広く且つ大きい。
【産業上の利用可能性】
【０２０１】
本発明に係る光ピックアップ、光学素子、光情報装置、コンピュータ、光情報媒体プレーヤ、カーナビゲーションシステム、光情報媒体レコーダ、及び光ディスクサーバは、ビーム整形素子によるＲＩＭ強度の調整、向上を図ることが可能な効果を有し、光ディスクを利用するコンピュータからＡＶ機器まで、幅広い産業分野で有用である。
【図面の簡単な説明】
【０２０２】
【図１（ａ）】本発明の実施の形態１における光ピックアップの構成を示す線図的説明図
【図１（ｂ）】本発明の実施の形態１における光ピックアップの対物レンズ近傍の構成を示す説明図
【図１（ｃ）】本発明の実施の形態１における光ピックアップのビーム整形素子の拡大構成図
【図１（ｄ）】本発明の実施の形態１における光ピックアップのビーム整形素子の作用を説明するための図
【図２】（ａ）本発明の実施の形態１における光ピックアップの）他の構成例を示す線図的説明図、（ｂ）本発明の実施の形態１における光ピックアップのビーム整形素子の他の構成例の拡大構成図
【図３】複数の波長光源を有する光ピックアップに本発明の実施の形態１を用いた構成を示す線図的説明図
【図４】（ａ）本発明の実施の形態２における光ピックアップのビーム整形素子固定部の構成を示す線図的説明図、（ｂ）本発明の実施の形態２における光ピックアップのビーム整形素子のｘｚ断面図及びｙｚ断面図
【図５】（ａ）従来の光ピックアップにおける、温度変化によるｙ軸方向ずれを説明する図、（ｂ）本発明の実施の形態２の光ピックアップにおける、温度変化によるｙ軸方向ずれを説明する図
【図６】本発明の実施の形態３における光ピックアップの光源部近傍の構成を示す線図的説明図
【図７】（ａ）本発明の実施の形態３における光ピックアップの光源素子とビーム整形素子の傾きの関係を示す、ｘｚ平面の正面図、（ｂ）本発明の実施の形態３における光ピックアップの光源素子とビーム整形素子の傾きの関係を示す、ｙｚ平面の断面図
【図８】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図９】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１０】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１１】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１２】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１３】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１４】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１５】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１６】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１７】（ａ）本発明の実施の形態４における光ピックアップの光源部近傍の構成を示す斜視図、（ｂ）本発明の実施の形態４における光ピックアップの光源部近傍の構成を示すｘｙ平面の正面図
【図１８】本発明の実施の形態５の光ディスクドライブの全体構成図
【図１９】本発明の実施の形態６のコンピュータの構成を示す概略斜視図
【図２０】本発明の実施の形態７の光ディスクレコーダーの構成を示す概略斜視図
【図２１】本発明の実施の形態８の光ディスクプレーヤーの構成を示す概略斜視図
【図２２】本発明の実施の形態９のサーバーの構成を示す概略斜視図
【図２３】本発明の実施の形態１０のカーナビゲーションシステムの構成を示す概略斜視図
【図２４】（ａ）従来の光ピックアップの光源部の構成例を示すｘｚ断面図、（ｂ）従来の光ピックアップの光源部の構成例を示すｙｚ断面図
【符号の説明】
【０２０３】
１  レーザ光源
２、２′、２″  ビーム整形素子
３  ビームスプリッタ
４  コリメートレンズ
５  立上げミラー
６  対物レンズ
６ａ  アパーチャ
７  光ディスク
８  １／４波長板
９  レンズホルダ
１０  光検出器
１１  光源あおりホルダ
１２  光軸調整ホルダ
１３  載置板
２１  ビーム整形素子ホルダ
２２  ビーム整形素子保持ばね
２３  調整ノブ
２５  延長部材
２ｉ、２ｉ′  ビーム整形素子の光線入射面
２ｏ、２ｏ′  ビーム整形素子の光線出射面
２ｉｍ、２ｉｍ′  ビーム整形素子の入射面側母線
２ｏｍ、２ｏｍ′  ビーム整形素子の出射面側母線
２ｚ  ビーム整形素子の光学的中心線
２ｉｃ、２ｉｃ′  ビーム整形素子の入射シリンドリカル面のベース半径中心点
２ｏｃ、２ｏｃ′  ビーム整形素子の出射シリンドリカル面のベース半径中心点
２Ｓ  ビーム整形素子の光学的中心線を含む面
２ｈ  ビーム整形素子の固定位置
２１１  ビーム整形素子とビーム整形素子ホルダの接触部（稜線）
２１２  ビーム整形素子とビーム整形素子ホルダの接触部
２１３  ビーム整形素子ホルダと載置板の接触部（接触面）
５１  ２面の反射面を持つ立上げプリズム
１００  光ヘッド
１０１  光ディスク
１０２  ターンテーブル
１０３  クランパー
１０４  モータ
１０５  トラバース
１０６  制御回路
１０７  光ディスクドライブ
１１０  パソコン
１１２、１２１、１４２  モニター
１１３、１４３  キーボード
１２０  光ディスクレコーダー
１３０、１５１  液晶モニター
１３１  光ディスクプレーヤー
１４０  サーバー
１４４  ネットワーク
１５０  カーナビゲーションシステム
２００  少なくとも二つ以上の異なる波長を光源に持つ光学系
【手続補正３】
【補正対象書類名】図面
【補正対象項目名】全図
【補正方法】変更
【補正の内容】
【図１（ａ）】
2007099963.tif 000030
【図１（ｂ）】
2007099963.tif 000031
【図１（ｃ）】
2007099963.tif 000032
【図１（ｄ）】
2007099963.tif 000033
【図２】
2007099963.tif 000034
【図３】
2007099963.tif 000035
【図４】
2007099963.tif 000036
【図５】
2007099963.tif 000037
【図６】
2007099963.tif 000038
【図７】
2007099963.tif 000039
【図８】
2007099963.tif 000040
【図９】
2007099963.tif 000041
【図１０】
2007099963.tif 000042
【図１１】
2007099963.tif 000043
【図１２】
2007099963.tif 000044
【図１３】
2007099963.tif 000045
【図１４】
2007099963.tif 000046
【図１５】
2007099963.tif 000047
【図１６】
2007099963.tif 000048
【図１７】
2007099963.tif 000049
【図１８】
2007099963.tif 000050
【図１９】
2007099963.tif 000051
【図２０】
2007099963.tif 000052
【図２１】
2007099963.tif 000053
【図２２】
2007099963.tif 000054
【図２３】
2007099963.tif 000055
【図２４】
2007099963.tif 000056
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
遠視野像が楕円の発散ビームを出射する光源と、
前記光源から出射された前記発散ビームを、その楕円形状の少なくとも長軸方向を縮ませた所定形状の発散ビームに整形する、少なくとも１面のシリンドリカル面を有するビーム整形素子と、
前記ビーム整形素子で整形された前記所定形状の発散ビームを、その光軸が光情報記録媒体の記録面に対して垂直になるように、前記記録面に集光させる集光部と、
前記光情報媒体で反射したビームを検出する光検出部と、
前記ビーム整形素子が搭載される載置板と、
前記集光部に対して固定された位置に設けられた、前記光源が取り付けられた光軸調整ホルダと、
前記光軸調整ホルダに回動自在に連結され、前記載置板が固定されている、光源あおりホルダとを備え、
前記光源あおりホルダの回動により、前記光源から出射される前記楕円の発散ビームの光軸の前記集光部に対する位置が調整される光ピックアップであって、
前記光源あおりホルダは、
前記ビーム整形素子の前記シリンドリカル面の母線と、前記光情報記録媒体の前記記録面との成す角度が、前記光源から出射される前記発散ビームの前記楕円形状の短軸方向への発光角傾きの角度と、直角との和に等しくなる位置に調整されている光ピックアップ。
【請求項２】
前記ビーム整形素子の周囲の一部を覆うように設けられ、前記ビーム整形素子の側壁の周囲の一部に固定されている第１の外殻部と、
前記第１の外殻部の周囲の一部及び前記ビーム整形素子の周囲の一部を覆うように設けられ、前記第１の外殻部の周囲の一部及び前記ビーム整形素子の側壁の周囲の他の一部と摺動可能に接触する接触部を有する第２の外殻部とを備え、
前記第２の外殻部は前記第１の外殻部の表面を外部へ露出させる空隙を有し、
前記第１の外殻部は、前記第２の外殻部の前記空隙から突出した、外部から操作可能なつまみ部を有し、
前記第２の外殻部の前記接触部は、前記ビーム整形素子を、その光軸方向に直交する方向に移動しないように規制している構造を有し、
前記ビーム整形素子は、前記第２の外殻部を介して前記載置板に搭載される、請求項１記載の光ピックアップ。
【請求項３】
前記第２の外殻部の前記接触部は、前記第１の外殻部と面接触する第１の側壁と、前記第１の外殻部に弾性力を加える第２の側壁と、前記ビーム整形素子と点接触又は線接触する第３の側壁とを有し、
前記第１の側壁、前記２の側壁及び前記第３の側壁は前記ビーム整形素子の光軸と平行な方向に形成されており、
前記空隙は、前記第２の側壁上に設けられている、請求項２記載の光ピックアップ。
【請求項４】
前記第１の外殻部及び前記第２の外殻部は、少なくとも、
前記第２の外殻部の前記接触部の前記第１の側壁と前記第一の外殻部と接触する部分及び、
前記第２の外殻部の前記接触部の前記第３の側壁と前記ビーム整形素子が接触する部分が、塗装されている、請求項２記載の光ピックアップ。
【請求項５】
前記第２の外殻部の前記接触部は、前記第１の外殻部と面接触する第１の側壁と、前記第１の外殻部に弾性力を加える第２の側壁と、前記ビーム整形素子と点接触又は線接触する第３の側壁とを有し、
前記第１の側壁、前記２の側壁及び前記第３の側壁は前記ビーム整形素子の光軸と平行な方向に形成されており、
前記空隙は、前記第２の側壁上に設けられている、請求項４記載の光ピックアップ。
【請求項６】
前記第２の外殻部は、
前記第１の側壁および前記第３の側壁を有するビーム整形素子ホルダと、
前記第２の側壁を有する弾性体の、２つの部材から構成され、
前記載置板を前記弾性体と前記ビーム整形素子ホルダが各々接触するようにはさみこんでいる、請求項２記載の光ピックアップ。
【請求項７】
前記ビーム整形素子は、前記載置板に接着剤で固定されている、請求項１、２、６のいずれか１つに記載の光ピックアップ。
【請求項８】
前記光源あおりホルダと前記載置板は一体成形されたものである、請求項１又は２記載の光ピックアップ。
【請求項９】
前記ビーム整形素子は、前記光源あおりホルダに接着剤で固定されている、請求項１、２、６のいずれか１つに記載の光ピックアップ。
【請求項１０】
前記集光部が配置される光学基台を備え、
前記光学基台には、前記光源あおりホルダをあおり調整した際に、前記載置板及び前記載置板上に取り付けられている部材の一部が移動できる凹部又は貫通孔が形成されている、請求項１又は２記載の光ピックアップ。
【請求項１１】
遠視野像が楕円の発散ビームを出射する光源と、
前記光源から出射された前記発散ビームを、その楕円形状の少なくとも長軸方向を縮ませた所定形状の発散ビームに整形する、少なくとも１面のシリンドリカル面を有するビーム整形素子と、
前記ビーム整形素子から出射された前記所定形状の発散ビームを、その光軸が光情報記録媒体の記録面に対して垂直になるように、前記記録面に集光させる集光部と、
前記光情報記録媒体で反射したビームを検出する光検出部とを備え、
前記集光部は、前記所定形状の発散ビームの長軸方向が縮まった向きが前記光情報記録媒体のラジアル方向と一致するように、前記発散ビームの光軸を回転させる、光ピックアップ。
【請求項１２】
前記集光部の前記整形における前記楕円形状の収縮率は、前記光源の発光角比より小さい、請求項１記載の光ピックアップ。
【請求項１３】
前記ビーム整形素子の前記シリンドリカル面の母線は、前記光情報記録媒体の前記記録面に対して垂直である、請求項１記載の光ピックアップ。
【請求項１４】
前記ビーム整形素子によって整形された後の前記所定形状の発散ビームは、整形される前の前記楕円形状の発散ビームの長軸方向と同じ方向の幅が、整形される前の前記楕円形状の発散ビームの短軸方向と同じ方向の幅よりも長い、請求項１記載の光ピックアップ。
【請求項１５】
請求項１又は１１記載の光ピックアップを有する光ヘッド装置と、
光情報記録媒体を回転するモータと、
前記光ヘッド装置から得られる信号に基づいて、前記モータ、光学レンズ及び前記光源を、制御及び駆動する電気回路とを備えた、光情報装置。
【請求項１６】
請求項１５記載の光情報装置と、
情報を入力するための入力装置又は入力端子と、
前記入力装置又は入力端子から入力された情報、及び／又は前記光情報装置から再生された情報に基づいて演算を行う演算装置と、
前記入力装置又は入力端子から入力された情報、及び／又は前記光情報装置から再生された情報、及び／又は前記演算装置によって演算された結果を、表示又は出力するための出力装置又は出力端子を備えた、コンピュータ。
【請求項１７】
請求項１５記載の光情報装置と、
前記光情報装置から得られる情報信号を画像に変換する、情報から画像へのデコーダーとを備えた、光情報媒体プレーヤ。
【請求項１８】
請求項１５記載の光情報装置と、
前記光情報装置から得られる情報信号を画像に変換する、情報から画像へのデコーダーとを備えた、カーナビゲーションシステム。
【請求項１９】
請求項１５記載の光情報装置と、
画像情報を前記光情報装置によって記録する情報に変換する、画像から情報へのエンコーダーとを備えた、光情報媒体レコーダ。
【請求項２０】
請求項１５記載の光情報装置と、
外部との情報のやりとりを行う入出力端子とを備えた、光ディスクサーバ。
【手続補正２】
【補正対象書類名】明細書
【補正対象項目名】００１６
【補正方法】変更
【補正の内容】
【００１６】
上記の目的を達成するために、第１の本発明は、遠視野像が楕円の発散ビームを出射する光源と、
前記光源から出射された前記発散ビームを、その楕円形状の少なくとも長軸方向を縮ませた所定形状の発散ビームに整形する、少なくとも１面のシリンドリカル面を有するビーム整形素子と、
前記ビーム整形素子で整形された前記所定形状の発散ビームを、その光軸が光情報記録媒体の記録面に対して垂直になるように、前記記録面に集光させる集光部と、
前記光情報媒体で反射したビームを検出する光検出部と、
前記ビーム整形素子が搭載される載置板と、
前記集光部に対して固定された位置に設けられた、前記光源が取り付けられた光軸調整ホルダと、
前記光軸調整ホルダに回動自在に連結され、前記載置板が固定されている、光源あおりホルダとを備え、
前記光源あおりホルダの回動により、前記光源から出射される前記楕円の発散ビームの光軸の前記集光部に対する位置が調整される光ピックアップであって、
前記光源あおりホルダは、
前記ビーム整形素子の前記シリンドリカル面の母線と、前記光情報記録媒体の前記記録面との成す角度が、前記光源から出射される前記発散ビームの前記楕円形状の短軸方向への発光角傾きの角度と、直角との和に等しくなる位置に調整されている光ピックアップである。
【手続補正３】
【補正対象書類名】明細書
【補正対象項目名】００１７
【補正方法】変更
【補正の内容】
【００１７】
また、第２の本発明は、前記ビーム整形素子の周囲の一部を覆うように設けられ、前記ビーム整形素子の側壁の周囲の一部に固定されている第１の外殻部と、
前記第１の外殻部の周囲の一部及び前記ビーム整形素子の周囲の一部を覆うように設けられ、前記第１の外殻部の周囲の一部及び前記ビーム整形素子の側壁の周囲の他の一部と摺動可能に接触する接触部を有する第２の外殻部とを備え、
前記第２の外殻部は前記第１の外殻部の表面を外部へ露出させる空隙を有し、
前記第１の外殻部は、前記第２の外殻部の前記空隙から突出した、外部から操作可能なつまみ部を有し、
前記第２の外殻部の前記接触部は、前記ビーム整形素子を、その光軸方向に直交する方向に移動しないように規制している構造を有し、
前記ビーム整形素子は、前記第２の外殻部を介して前記載置板に搭載される、第１の本発明の光ピックアップである。
【手続補正４】
【補正対象書類名】明細書
【補正対象項目名】００１８
【補正方法】変更
【補正の内容】
【００１８】
また、第３の本発明は、前記第２の外殻部の前記接触部は、前記第１の外殻部と面接触する第１の側壁と、前記第１の外殻部に弾性力を加える第２の側壁と、前記ビーム整形素子と点接触又は線接触する第３の側壁とを有し、
前記第１の側壁、前記２の側壁及び前記第３の側壁は前記ビーム整形素子の光軸と平行な方向に形成されており、
前記空隙は、前記第２の側壁上に設けられている、第２の本発明の光ピックアップである。
【手続補正５】
【補正対象書類名】明細書
【補正対象項目名】００１９
【補正方法】変更
【補正の内容】
【００１９】
また、第４の本発明は、前記第１の外殻部及び前記第２の外殻部は、少なくとも、
前記第２の外殻部の前記接触部の前記第１の側壁と前記第一の外殻部と接触する部分及び、
前記第２の外殻部の前記接触部の前記第３の側壁と前記ビーム整形素子が接触する部分が、塗装されている、第２の本発明の光ピックアップである。
【手続補正６】
【補正対象書類名】明細書
【補正対象項目名】００２０
【補正方法】変更
【補正の内容】
【００２０】
また、第５の本発明は、前記第２の外殻部の前記接触部は、前記第１の外殻部と面接触する第１の側壁と、前記第１の外殻部に弾性力を加える第２の側壁と、前記ビーム整形素子と点接触又は線接触する第３の側壁とを有し、
前記第１の側壁、前記２の側壁及び前記第３の側壁は前記ビーム整形素子の光軸と平行な方向に形成されており、
前記空隙は、前記第２の側壁上に設けられている、第４の本発明の光ピックアップである。
【手続補正７】
【補正対象書類名】明細書
【補正対象項目名】００２１
【補正方法】変更
【補正の内容】
【００２１】
また、第６の本発明は、前記第２の外殻部は、
前記第１の側壁および前記第３の側壁を有するビーム整形素子ホルダと、
前記第２の側壁を有する弾性体の、２つの部材から構成され、
前記載置板を前記弾性体と前記ビーム整形素子ホルダが各々接触するようにはさみこんでいる、第２の本発明の光ピックアップである。
【手続補正８】
【補正対象書類名】明細書
【補正対象項目名】００２２
【補正方法】変更
【補正の内容】
【００２２】
また、第７の本発明は、前記ビーム整形素子は、前記載置板に接着剤で固定されている、第１、第２、第６のいずれかの本発明の光ピックアップである。
【手続補正９】
【補正対象書類名】明細書
【補正対象項目名】００２３
【補正方法】変更
【補正の内容】
【００２３】
また、第８の本発明は、前記光源あおりホルダと前記載置板は一体成形されたものである、第１又は第２の本発明の光ピックアップである。
【手続補正１０】
【補正対象書類名】明細書
【補正対象項目名】００２４
【補正方法】変更
【補正の内容】
【００２４】
また、第９の本発明は、前記ビーム整形素子は、前記光源あおりホルダに接着剤で固定されている、第１、第２、第６のいずれかの本発明の光ピックアップである。
【手続補正１１】
【補正対象書類名】明細書
【補正対象項目名】００２５
【補正方法】変更
【補正の内容】
【００２５】
また、第１０の本発明は、前記集光部が配置される光学基台を備え、
前記光学基台には、前記光源あおりホルダをあおり調整した際に、前記載置板及び前記載置板上に取り付けられている部材を避けるための凹部又は貫通孔が形成されている、第１又は第２の本発明の光ピックアップである。
【手続補正１２】
【補正対象書類名】明細書
【補正対象項目名】００２６
【補正方法】変更
【補正の内容】
【００２６】
また、第１１の本発明は、遠視野像が楕円の発散ビームを出射する光源と、
前記光源から出射された前記発散ビームを、その楕円形状の少なくとも長軸方向を縮ませた所定形状の発散ビームに整形する、少なくとも１面のシリンドリカル面を有するビーム整形素子と、
前記ビーム整形素子から出射された前記所定形状の発散ビームを、その光軸が光情報記録媒体の記録面に対して垂直になるように、前記記録面に集光させる集光部と、
前記光情報記録媒体で反射したビームを検出する光検出部とを備え、
前記集光部は、前記所定形状の発散ビームの長軸方向が縮まった向きが前記光情報記録媒体のラジアル方向と一致するように、前記発散ビームの光軸を回転させる、光ピックアップである。
【手続補正１３】
【補正対象書類名】明細書
【補正対象項目名】００２７
【補正方法】変更
【補正の内容】
【００２７】
また、第１２の本発明は、前記集光部の前記整形における前記楕円形状の収縮率は、前記光源の発光角比より小さい、第１の本発明の光ピックアップである。
【手続補正１４】
【補正対象書類名】明細書
【補正対象項目名】００２８
【補正方法】変更
【補正の内容】
【００２８】
また、第１３の本発明は、前記ビーム整形素子の前記シリンドリカル面の母線は、前記光情報記録媒体の前記記録面に対して垂直である、第１の本発明の光ピックアップである。
【手続補正１５】
【補正対象書類名】明細書
【補正対象項目名】００２９
【補正方法】変更
【補正の内容】
【００２９】
また、第１４の本発明は、前記ビーム整形素子によって整形された後の前記所定形状の発散ビームは、整形される前の前記楕円形状の発散ビームの長軸方向と同じ方向の幅が、整形される前の前記楕円形状の発散ビームの短軸方向と同じ方向の幅よりも長い、第１の本発明の光ピックアップである。
【手続補正１６】
【補正対象書類名】明細書
【補正対象項目名】００３０
【補正方法】変更
【補正の内容】
【００３０】
また、第１５の本発明は、第１又は第１１の本発明の光ピックアップを有する光ヘッド装置と、
光情報記録媒体を回転するモータと、
前記光ヘッド装置から得られる信号に基づいて、前記モータ、光学レンズ及び前記光源を、制御及び駆動する電気回路とを備えた、光情報装置である。 
【手続補正１７】
【補正対象書類名】明細書
【補正対象項目名】００７１
【補正方法】変更
【補正の内容】
【００７１】
なお、この周囲温度に対応する上記構成においては、ビーム整形素子２の母線方向を、光ディスク７の記録面と必ずしも垂直とせず、実質的にはその成す角が９０°からθｚずれていてもよい。例えば温度変化時の光学基台などの膨張によるｘ方向の成分はｓｉｎθｚ程度の影響であるため、θｚが数度であれば影響は小さく無視でき、角θが９０°の場合と同様の効果を得ることができるからである。
【手続補正１８】
【補正対象書類名】明細書
【補正対象項目名】００７６
【補正方法】変更
【補正の内容】
【００７６】
なお、本実施の形態１の構成において、レーザ光源１からの出射光の遠視野像の楕円の長軸方向をラジアル方向ではなく、タンジェンシャル方向と一致させた場合でも、ラジアル方向のＲＩＭ強度が高くなるような調整も原理的に可能であるが、この場合はレーザ光源１からの出射光の遠視野像の楕円の長軸を、短軸よりも短くする（長軸と短軸が入れ替る）程度の、ビーム整形倍率が必要となるが、ビーム整形倍率を高くしすぎると、収差が十分小さいレンズ設計が困難であることや、発光点とビーム整形素子２の相対位置ずれによる光学収差発生量が大きくなりすぎるため、取り扱いが困難になる場合がある。
【手続補正１９】
【補正対象書類名】明細書
【補正対象項目名】００８３
【補正方法】変更
【補正の内容】
【００８３】
なお、ここで光学的な中心線とは、図４（ｂ）に示すように、このビーム整形素子２をｘｚ断面で見た場合、入射面側のシリンドリカル面のベースとなる円の一部の中心点２ｉｃと、出射面２ｏ側のシリンドリカル面のベースとなる円の一部の中心点２ｏｃとを結んだ物であり、ｙｚ断面で見た場合、入射面と出射面ともレンズ面を持たないため直線であり、本来光学的中心が存在しないが、ここでは仮にビーム整形素子２のｙｚ平面の面積を２分割し、入射面か出射面の断面の少なくともいずれか一方と垂直に直交する線と定義する。
【手続補正２０】
【補正対象書類名】明細書
【補正対象項目名】０１１７
【補正方法】変更
【補正の内容】
【０１１７】
ここで、ビーム整形素子２の外形は、載置板１３上に安定に自立させるために、載置板１３と面で接触するための平面を持っていると、なおよい。もちろん、このビーム整形素子２の外形が持つ平面は、構造上ビーム整形素子２の入出射面の母線と垂直である。さらにこのビーム整形素子２の外形が持つ平面は、ビーム整形素子２の例えば調整時の回転規制を兼ねることも可能である。
【手続補正２１】
【補正対象書類名】明細書
【補正対象項目名】０１４１
【補正方法】変更
【補正の内容】
【０１４１】
これは、特に、光ピックアップとして実施の形態１の構成に用いた場合、以下の点で好適である。すなわち、実施の形態１にて説明したように、光ピックアップにおいてＲＩＭ強度を高める場合には、ビーム整形素子２による光ビームの断面形状の整形、及びビームスプリッタ３及び立ち上げミラー５等の集光系による光軸の回転が必要となるが、これらの調整に際し、レーザ光源１から出射されるレーザ光の光軸の集光系に対する位置あわせが重要である。
【手続補正２２】
【補正対象書類名】明細書
【補正対象項目名】０１５８
【補正方法】変更
【補正の内容】
【０１５８】
又、ビーム整形素子ホルダ２１と載置板１３を接着固定する場合には、その接着性を損なわないために、潤滑塗装は、このとき、ビーム整形素子ホルダ２１において載置板１３の表面及びその近傍は、ビーム整形素子２及ビーム整形素子カバー２３と対向しない側の面である、載置板１３との接触面２１３近傍の接着剤塗布部には施されていないことが望ましい。
【手続補正２３】
【補正対象書類名】明細書
【補正対象項目名】０１７３
【補正方法】変更
【補正の内容】
【０１７３】
なお、制御回路１０６が、本発明の電気回路の一例にあたる。
【手続補正２４】
【補正対象書類名】明細書
【補正対象項目名】０２０２
【補正方法】変更
【補正の内容】
【０２０２】
【図１（ａ）】本発明の実施の形態１における光ピックアップの構成を示す線図的説明図
【図１（ｂ）】本発明の実施の形態１における光ピックアップの対物レンズ近傍の構成を示す説明図
【図１（ｃ）】本発明の実施の形態１における光ピックアップのビーム整形素子の拡大構成図
【図１（ｄ）】本発明の実施の形態１における光ピックアップのビーム整形素子の作用を説明するための図
【図２】（ａ）本発明の実施の形態１における光ピックアップの他の構成例を示す線図的説明図、（ｂ）本発明の実施の形態１における光ピックアップのビーム整形素子の他の構成例の拡大構成図
【図３】複数の波長光源を有する光ピックアップに本発明の実施の形態１を用いた構成を示す線図的説明図
【図４】（ａ）本発明の実施の形態２における光ピックアップのビーム整形素子固定部の構成を示す線図的説明図、（ｂ）本発明の実施の形態２における光ピックアップのビーム整形素子のｘｚ断面図及びｙｚ断面図
【図５】（ａ）従来の光ピックアップにおける、温度変化によるｙ軸方向ずれを説明する図、（ｂ）本発明の実施の形態２の光ピックアップにおける、温度変化によるｙ軸方向ずれを説明する図
【図６】本発明の実施の形態３における光ピックアップの光源部近傍の構成を示す線図的説明図
【図７】（ａ）本発明の実施の形態３における光ピックアップの光源素子とビーム整形素子の傾きの関係を示す、ｘｚ平面の正面図、（ｂ）本発明の実施の形態３における光ピックアップの光源素子とビーム整形素子の傾きの関係を示す、ｙｚ平面の断面図
【図８】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図９】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１０】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１１】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１２】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１３】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１４】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１５】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１６】（ａ）本発明の実施の形態３における光ピックアップのビーム整形素子と載置部の他の構成例をｚｘ平面から見た平面図、（ｂ）本発明の実施の形態３における光ピックアップのビーム整形素子と載置部の他の構成例をｙｘ平面から見た正面図、（ｃ）本発明の実施の形態３における光ピックアップのビーム整形素子と載置部の他の構成例をｙｚ平面から見た側面図
【図１７】（ａ）本発明の実施の形態４における光ピックアップの光源部近傍の構成を示す斜視図、（ｂ）本発明の実施の形態４における光ピックアップの光源部近傍の構成を示すｘｙ平面の正面図
【図１８】本発明の実施の形態５の光ディスクドライブの全体構成図
【図１９】本発明の実施の形態６のコンピュータの構成を示す概略斜視図
【図２０】本発明の実施の形態７の光ディスクレコーダーの構成を示す概略斜視図
【図２１】本発明の実施の形態８の光ディスクプレーヤーの構成を示す概略斜視図
【図２２】本発明の実施の形態９のサーバーの構成を示す概略斜視図
【図２３】本発明の実施の形態１０のカーナビゲーションシステムの構成を示す概略斜視図
【図２４】（ａ）従来の光ピックアップの光源部の構成例を示すｘｚ断面図、（ｂ）従来の光ピックアップの光源部の構成例を示すｙｚ断面図
【手続補正２５】
【補正対象書類名】図面
【補正対象項目名】図１６
【補正方法】変更
【補正の内容】
【図１６】
2007099963.tif 000057
【手続補正２６】
【補正対象書類名】図面
【補正対象項目名】図１７
【補正方法】変更
【補正の内容】
【図１７】
2007099963.tif 000058
【国際調査報告】
2007099963.tif 000059
2007099963.tif 000060
2007099963.tif 000061
2007099963.tif 000062